(57)【特許請求の範囲】
【請求項１】
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、
前記受信部によって前記第２の指示情報が受信されたことに応答して、前記第２の指示情報に従う旨の第２の応答情報を前記電力消費管理装置へ送信する送信部とを備える、需要家装置。
【請求項２】
電力需要施設において用いられる需要家装置であって、
前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、
前記第２の指示情報に対する応答内容の前記需要家装置への入力が所定時間以内に行われない場合に、前記第２の指示情報に従う旨の第２の応答情報を前記電力消費管理装置へ送信する送信部とを備える、需要家装置。
【請求項３】
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、
前記電力需要施設における人の存在に関する存在情報を取得する取得部と、
前記取得部によって取得された前記存在情報に基づいて、前記第２の指示情報に従う旨の第２の応答情報を前記電力消費管理装置へ送信する送信部とを備える、需要家装置。
【請求項４】
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信する受信部と、
前記受信部によって前記第２の指示情報が受信されたことに応答して、前記第２の指示情報に従って前記電力需要施設における負荷を制御する制御部とを備える、需要家装置。
【請求項５】
前記需要家装置は、さらに、
前記需要家装置の異常を検知する検知部を備え、
前記送信部は、前記検知部によって異常が検知されている場合、前記第２の指示情報に従う旨の第２の応答情報に代わり、前記第２の指示情報に従わない旨の第２の応答情報を前記電力消費管理装置へ送信する、請求項１から請求項３のいずれか１項に記載の需要家装置。
【請求項６】
電力需要施設における電力消費を管理する電力消費管理装置であって、
節電イベントに参加するか否かを判断させるための前記電力消費に関する第１の指示情報を端末装置へ送信する送信部と、
前記端末装置から前記第１の指示情報に対する第１の応答情報を受信する受信部とを備え、
前記送信部は、前記受信部によって受信された前記第１の応答情報に基づいて、前記節電イベントに参加するか否かを判断させるための第２の指示情報を、前記電力需要施設において用いられる需要家装置へ送信する、電力消費管理装置。
【請求項７】
前記送信部は、前記第１の指示情報に従わない旨を前記第１の応答情報が示している場合、前記第２の指示情報を前記需要家装置へ送信しない、請求項６に記載の電力消費管理装置。
【請求項８】
前記電力消費管理装置は、さらに、
前記端末装置から前記電力需要施設の需要家に関する需要家情報を取得する取得部と、
前記取得部によって取得された前記需要家情報に基づいて、前記第１の指示情報を作成する指示情報作成部とを備える、請求項６または請求項７に記載の電力消費管理装置。
【請求項９】
前記取得部は、前記第１の指示情報が前記送信部によって前記端末装置へ送信された後、前記需要家情報を取得し、
前記指示情報作成部は、前記取得部によって取得された前記需要家情報に基づいて前記第１の指示情報を修正し、
前記送信部は、前記指示情報作成部によって修正された前記第１の指示情報を前記端末装置へ送信する、請求項８に記載の電力消費管理装置。
【請求項１０】
前記送信部は、複数の前記電力需要施設にそれぞれ対応する複数の前記端末装置へ前記第１の指示情報を送信し、
前記取得部は、複数の前記端末装置から前記需要家情報を取得し、
前記指示情報作成部は、前記端末装置へ送信すべき前記第１の指示情報を、他の前記端末装置から取得された前記需要家情報に基づいて修正する、請求項９に記載の電力消費管理装置。
【請求項１１】
前記取得部は、前記第１の指示情報が前記送信部によって前記端末装置へ送信される前に前記需要家情報を取得し、
前記指示情報作成部は、前記取得部によって取得された前記需要家情報に基づいて前記第１の指示情報を作成する、請求項８に記載の電力消費管理装置。
【請求項１２】
前記需要家情報は、前記需要家のスケジュール、前記電力消費の抑制可能量および前記需要家の位置のうちの少なくともいずれか１つに関する情報である、請求項８から請求項１１のいずれか１項に記載の電力消費管理装置。
【請求項１３】
前記受信部は、前記第２の指示情報に対する第２の応答情報を前記需要家装置から受信し、
前記送信部は、前記第２の指示情報に従わない旨を前記第２の応答情報が示している場合、前記第２の応答情報の内容を示す情報を前記端末装置へ送信する、請求項６から請求項１２のいずれか１項に記載の電力消費管理装置。
【請求項１４】
電力需要施設における電力消費を管理する電力消費管理装置と、
前記電力需要施設において用いられる需要家装置と、
端末装置とを備え、
前記電力消費管理装置は、節電イベントに参加するか否かを判断させるための第１の指示情報を前記端末装置へ送信し、
前記端末装置は、前記電力消費管理装置から前記第１の指示情報を受信して、受信した前記第１の指示情報に対する第１の応答情報を前記電力消費管理装置へ送信し、
前記電力消費管理装置は、前記端末装置から前記第１の応答情報を受信して、受信した前記第１の応答情報に基づいて、前記節電イベントに参加するか否かを判断させるための第２の指示情報を前記需要家装置へ送信する、電力消費管理システム。
【請求項１５】
需要家装置における電力消費管理方法であって、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記第２の指示情報を受信したことに応答して、前記第２の指示情報に従う旨の第２の応答情報を前記電力消費管理装置へ送信するステップとを含む、電力消費管理方法。
【請求項１６】
電力需要施設において用いられる需要家装置における電力消費管理方法であって、
前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記第２の指示情報に対する応答内容の前記需要家装置への入力が所定時間以内に行われない場合に、前記第２の指示情報に従う旨の第２の応答情報を前記電力消費管理装置へ送信するステップとを含む、電力消費管理方法。
【請求項１７】
需要家装置における電力消費管理方法であって、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記電力需要施設における人の存在に関する存在情報を取得するステップと、
取得した前記存在情報に基づいて、前記第２の指示情報に従う旨の第２の応答情報を前記電力消費管理装置へ送信するステップとを含む、電力消費管理方法。
【請求項１８】
需要家装置における電力消費管理方法であって、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、
前記第２の指示情報を受信したことに応答して、前記第２の指示情報に従って前記電力需要施設における負荷を制御するステップとを含む、電力消費管理方法。
【請求項１９】
電力需要施設における電力消費を管理する電力消費管理装置における電力消費管理方法であって、
節電イベントに参加するか否かを判断させるための第１の指示情報を端末装置へ送信するステップと、
前記端末装置から前記第１の指示情報に対する第１の応答情報を受信するステップと、
受信した前記第１の応答情報に基づいて、前記節電イベントに参加するか否かを判断させるための第２の指示情報を、前記電力需要施設において用いられる需要家装置へ送信するステップとを含む、電力消費管理方法。
【請求項２０】
電力需要施設における電力消費を管理する電力消費管理装置と、前記電力需要施設において用いられる需要家装置と、端末装置とを備える電力消費管理システムにおいて用いられる電力消費管理方法であって、
前記電力消費管理装置が、節電イベントに参加するか否かを判断させるための第１の指示情報を前記端末装置へ送信するステップと、
前記端末装置が、前記電力消費管理装置から前記第１の指示情報を受信して、受信した前記第１の指示情報に対する第１の応答情報を前記電力消費管理装置へ送信するステップと、
前記電力消費管理装置が、前記端末装置から前記第１の応答情報を受信して、受信した前記第１の応答情報に基づいて、前記節電イベントに参加するか否かを判断させるための第２の指示情報を前記需要家装置へ送信するステップとを含む、電力消費管理方法。
【請求項２１】
需要家装置において用いられる電力消費管理プログラムであって、コンピュータに、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記第２の指示情報を受信したことに応答して、前記第２の指示情報に従う旨の第２の応答情報を前記電力消費管理装置へ送信するステップとを実行させるための、電力消費管理プログラム。
【請求項２２】
電力需要施設において用いられる需要家装置、において用いられる電力消費管理プログラムであって、コンピュータに、
前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記第２の指示情報に対する応答内容の前記需要家装置への入力が所定時間以内に行われない場合に、前記第２の指示情報に従う旨の第２の応答情報を前記電力消費管理装置へ送信するステップとを実行させるための、電力消費管理プログラム。
【請求項２３】
需要家装置において用いられる電力消費管理プログラムであって、コンピュータに、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、
前記電力需要施設における人の存在に関する存在情報を取得するステップと、
取得した前記存在情報に基づいて、前記第２の指示情報に従う旨の第２の応答情報を前記電力消費管理装置へ送信するステップとを実行させるための、電力消費管理プログラム。
【請求項２４】
需要家装置において用いられる電力消費管理プログラムであって、コンピュータに、
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、
前記第２の指示情報を受信したことに応答して、前記第２の指示情報に従って前記電力需要施設における負荷を制御するステップとを実行させるための、電力消費管理プログラム。
【請求項２５】
電力需要施設における電力消費を管理する電力消費管理装置において用いられる電力消費管理プログラムであって、コンピュータに、
節電イベントに参加するか否かを判断させるための第１の指示情報を端末装置へ送信するステップと、
前記端末装置から前記第１の指示情報に対する第１の応答情報を受信するステップと、
受信した前記第１の応答情報に基づいて、前記節電イベントに参加するか否かを判断させるための第２の指示情報を、前記電力需要施設において用いられる需要家装置へ送信するステップとを実行させるための、電力消費管理プログラム。
【請求項２６】
端末装置において用いられる電力消費管理プログラムであって、コンピュータに、
電力需要施設における電力消費を管理する電力消費管理装置から、節電イベントに参加するか否かを判断させるための第１の指示情報を受信するステップと、
受信した前記第１の指示情報に対する第１の応答情報を前記電力消費管理装置へ送信するステップとを実行させるためのプログラムであり、
前記電力消費管理装置が、前記端末装置から前記第１の応答情報を受信し、受信した前記第１の応答情報に基づいて、前記節電イベントに参加するか否かを判断させるための第２の指示情報を、前記電力需要施設において用いられる需要家装置へ送信する、電力消費管理プログラム。
【発明の詳細な説明】
【技術分野】
【０００１】
本発明は、需要家装置、電力消費管理装置、電力消費管理システム、電力消費管理方法および電力消費管理プログラムに関し、特に、電力消費に関する指示情報を用いて電力消費が管理される電力消費管理システムにおける需要家装置、電力消費管理装置、当該電力消費管理システム、電力消費管理方法および電力消費管理プログラムに関する。
【背景技術】
【０００２】
従来、電力需給が逼迫している場合等に一般住宅およびビル等の電力需要施設における電力消費が抑制されるように、電力需要施設における電力消費を管理するシステムが開発されている。
【０００３】
たとえば、特許文献１（特開２０１３−２２２２９３号公報）には、以下のような技術が開示されている。すなわち、エネルギー管理システムは、複数のクライアント装置と、前記複数のクライアント装置と通信可能なサーバ装置とを具備するエネルギー管理システムであって、前記サーバ装置は、配電網から電力を供給される電気機器に係わるデータを前記クライアント装置から取得する取得部と、前記データに基づいて前記電気機器のエネルギー需要量を予測する予測部と、前記予測されたエネルギー需要量に基づいて、前記電気機器に係わるエネルギーを最適化すべく前記電気機器の動作を計算する計算部と、前記計算された動作に基づいて、前記電気機器を制御するための制御情報を前記クライアント装置に送信する制御部とを備える。
【０００４】
また、特許文献２（特許５４０１５０６号公報）には、以下のような技術が開示されている。すなわち、電力設備制御システムは、電力系統の系統運用サーバおよび前記電力系統に系統連系して電力消費または蓄電を行う単数または複数の電力設備と通信網を介して接続され、前記電力設備の電力の需給バランスを調整する電力設備制御システムにおいて、前記電力設備の以後の電力の需要計画を作成し、前記需要計画に基づいて前記系統運用サーバから受信した前記電力設備に対する需要調整依頼に係る情報を前記電力設備に送信し、前記需要調整依頼に基づいて前記電力設備内で行われた需要調整の観測情報である需要調整結果を受信し、前記需要調整結果から前記電力設備が前記需要調整を行うことにより得られた貢献度を求める。
【先行技術文献】
【特許文献】
【０００５】
【特許文献１】特開２０１３−２２２２９３号公報
【特許文献２】特許第５４０１５０６号公報
【発明の概要】
【発明が解決しようとする課題】
【０００６】
電力需要施設における電力消費を管理するシステムでは、電力需要施設における照明機器および空調機器等の電気設備を制御することにより、当該電力需要施設における電力消費を抑制することが可能な需要家装置が用いられる。
【０００７】
需要家装置は、たとえば、複数の電力需要施設における省エネを支援する事業者と通信を行い、節電すべき時期および節電すべき電力量等の指示を当該事業者から受ける。需要家装置は、当該事業者からの指示に従うとの判断がなされた場合、電力需要施設における電力消費を抑制する処理を行う。
【０００８】
ここで、当該事業者からの指示が、たとえば電力需要施設における過去の電力使用量等に基づいて作成されたものであり、電力需要施設における需要家の予定が普段と異なる場合には、需要家の行動を反映していない指示が当該事業者からなされてしまう。
【０００９】
また、指示に従うか否かの判断を需要家により予め設定された条件に基づいて需要家装置が行う場合、普段と異なる需要家の予定を反映していない判断が需要家装置によりなされてしまう。
【００１０】
この発明は、上記のような課題を解決するためになされたもので、その目的は、電力需要施設における電力消費を適切に管理することが可能な需要家装置、電力消費管理装置、電力消費管理システム、電力消費管理方法および電力消費管理プログラムを提供することである。
【課題を解決するための手段】
【００１１】
（１）上記課題を解決するために、この発明のある局面に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記受信部によって前記第２の指示情報が受信されたことに応答して、前記第２の指示情報に従う旨の第２の応答情報を前記電力消費管理装置へ送信する送信部とを備える。
【００１２】
（２）またこの発明の別の局面に係る需要家装置は、電力需要施設において用いられる需要家装置であって、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記第２の指示情報に対する応答内容の前記需要家装置への入力が所定時間以内に行われない場合に、前記第２の指示情報に従う旨の第２の応答情報を前記電力消費管理装置へ送信する送信部とを備える。
【００１３】
（３）またこの発明の別の局面に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記電力需要施設における人の存在に関する存在情報を取得する取得部と、前記取得部によって取得された前記存在情報に基づいて、前記第２の指示情報に従う旨の第２の応答情報を前記電力消費管理装置へ送信する送信部とを備える。
【００１４】
（４）またこの発明の別の局面に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信する受信部と、前記受信部によって前記第２の指示情報が受信されたことに応答して、前記第２の指示情報に従って前記電力需要施設における負荷を制御する制御部とを備える。
【００１５】
（６）上記課題を解決するために、この発明のある局面に係る電力消費管理装置は、電力需要施設における電力消費を管理する電力消費管理装置であって、前記電力消費に関する第１の指示情報を端末装置へ送信する送信部と、前記端末装置から前記第１の指示情報に対する第１の応答情報を受信する受信部とを備え、前記送信部は、前記受信部によって受信された前記第１の応答情報に基づいて、前記電力消費に関する第２の指示情報を、前記電力需要施設において用いられる需要家装置へ送信する。
【００１６】
（１４）上記課題を解決するために、この発明のある局面に係る電力消費管理システムは、電力需要施設における電力消費を管理する電力消費管理装置と、前記電力需要施設において用いられる需要家装置と、端末装置とを備え、前記電力消費管理装置は、前記電力消費に関する第１の指示情報を前記端末装置へ送信し、前記端末装置は、前記電力消費管理装置から前記第１の指示情報を受信して、受信した前記第１の指示情報に対する第１の応答情報を前記電力消費管理装置へ送信し、前記電力消費管理装置は、前記端末装置から前記第１の応答情報を受信して、受信した前記第１の応答情報に基づいて、前記電力消費に関する第２の指示情報を前記需要家装置へ送信する。
【００１７】
（１５）上記課題を解決するために、この発明のある局面に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報を受信したことに応答して、前記第２の指示情報に従う旨の第２の応答情報を前記電力消費管理装置へ送信するステップとを含む。
【００１８】
（１６）またこの発明の別の局面に係る電力消費管理方法は、電力需要施設において用いられる需要家装置における電力消費管理方法であって、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報に対する応答内容の前記需要家装置への入力が所定時間以内に行われない場合に、前記第２の指示情報に従う旨の第２の応答情報を前記電力消費管理装置へ送信するステップとを含む。
【００１９】
（１７）またこの発明の別の局面に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記電力需要施設における人の存在に関する存在情報を取得するステップと、取得した前記存在情報に基づいて、前記第２の指示情報に従う旨の第２の応答情報を前記電力消費管理装置へ送信するステップとを含む。
【００２０】
（１８）またこの発明の別の局面に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、前記第２の指示情報を受信したことに応答して、前記第２の指示情報に従って前記電力需要施設における負荷を制御するステップとを含む。
【００２１】
（１９）またこの発明の別の局面に係る電力消費管理方法は、電力需要施設における電力消費を管理する電力消費管理装置における電力消費管理方法であって、前記電力消費に関する第１の指示情報を端末装置へ送信するステップと、前記端末装置から前記第１の指示情報に対する第１の応答情報を受信するステップと、受信した前記第１の応答情報に基づいて、前記電力消費に関する第２の指示情報を、前記電力需要施設において用いられる需要家装置へ送信するステップとを含む。
【００２２】
（２０）またこの発明の別の局面に係る電力消費管理方法は、電力需要施設における電力消費を管理する電力消費管理装置と、前記電力需要施設において用いられる需要家装置と、端末装置とを備える電力消費管理システムにおいて用いられる電力消費管理方法であって、前記電力消費管理装置が、前記電力消費に関する第１の指示情報を前記端末装置へ送信するステップと、前記端末装置が、前記電力消費管理装置から前記第１の指示情報を受信して、受信した前記第１の指示情報に対する第１の応答情報を前記電力消費管理装置へ送信するステップと、前記電力消費管理装置が、前記端末装置から前記第１の応答情報を受信して、受信した前記第１の応答情報に基づいて、前記電力消費に関する第２の指示情報を前記需要家装置へ送信するステップとを含む。
【００２３】
（２１）上記課題を解決するために、この発明のある局面に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報を受信したことに応答して、前記第２の指示情報に従う旨の第２の応答情報を前記電力消費管理装置へ送信するステップとを実行させるためのプログラムである。
【００２４】
（２２）またこの発明の別の局面に係る電力消費管理プログラムは、電力需要施設において用いられる需要家装置、において用いられる電力消費管理プログラムであって、コンピュータに、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報に対する応答内容の前記需要家装置への入力が所定時間以内に行われない場合に、前記第２の指示情報に従う旨の第２の応答情報を前記電力消費管理装置へ送信するステップとを実行させるためのプログラムである。
【００２５】
（２３）またこの発明の別の局面に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記電力需要施設における人の存在に関する存在情報を取得するステップと、取得した前記存在情報に基づいて、前記第２の指示情報に従う旨の第２の応答情報を前記電力消費管理装置へ送信するステップとを実行させるためのプログラムである。
【００２６】
（２４）またこの発明の別の局面に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、前記第２の指示情報を受信したことに応答して、前記第２の指示情報に従って前記電力需要施設における負荷を制御するステップとを実行させるためのプログラムである。
【００２７】
（２５）またこの発明の別の局面に係る電力消費管理プログラムは、電力需要施設における電力消費を管理する電力消費管理装置において用いられる電力消費管理プログラムであって、コンピュータに、前記電力消費に関する第１の指示情報を端末装置へ送信するステップと、前記端末装置から前記第１の指示情報に対する第１の応答情報を受信するステップと、受信した前記第１の応答情報に基づいて、前記電力消費に関する第２の指示情報を、前記電力需要施設において用いられる需要家装置へ送信するステップとを実行させるためのプログラムである。
【００２８】
（２６）またこの発明の別の局面に係る電力消費管理プログラムは、端末装置において用いられる電力消費管理プログラムであって、コンピュータに、電力需要施設における電力消費を管理する電力消費管理装置から前記電力消費に関する第１の指示情報を受信するステップと、受信した前記第１の指示情報に対する第１の応答情報を前記電力消費管理装置へ送信するステップとを実行させるためのプログラムであり、前記電力消費管理装置が、前記端末装置から前記第１の応答情報を受信し、受信した前記第１の応答情報に基づいて、前記電力消費に関する第２の指示情報を、前記電力需要施設において用いられる需要家装置へ送信する。
【００２９】
本発明は、このような特徴的な処理部を備える需要家装置として実現することができるだけでなく、需要家装置の一部または全部を実現する半導体集積回路として実現することができる。
【００３０】
また本発明は、このような特徴的な処理部を備える電力消費管理装置として実現することができるだけでなく、電力消費管理装置の一部または全部を実現する半導体集積回路として実現することができる。
【発明の効果】
【００３１】
本発明によれば、電力需要施設における電力消費を適切に管理することができる。
【図面の簡単な説明】
【００３２】
【図１】図１は、本発明の第１の実施の形態に係る電力消費管理システムにおけるデマンドレスポンスについて説明するための図である。
【図２】図２は、本発明の第１の実施の形態に係る電力消費管理システムの比較例の構成を示す図である。
【図３】図３は、本発明の第１の実施の形態に係る電力消費管理システムの比較例におけるデマンドレスポンス処理のシーケンスの一例を示す図である。
【図４】図４は、本発明の第１の実施の形態に係る電力システムの構成を示す図である。
【図５】図５は、本発明の第１の実施の形態に係る電力消費管理システムにおけるデマンドレスポンス処理のシーケンスの一例を示す図である。
【図６】図６は、本発明の第１の実施の形態に係る電力消費管理装置による総依頼抑制量の配分適正化処理の手順を定めたフローチャートである。
【図７】図７は、本発明の第１の実施の形態に係る電力消費管理システムにおける電力消費管理装置の構成を示す図である。
【図８】図８は、本発明の第１の実施の形態に係る電力消費管理システムにおける需要家装置の構成を示す図である。
【図９】図９は、本発明の第１の実施の形態に係る電力消費管理システムにおける端末装置の構成を示す図である。
【図１０】図１０は、本発明の第２の実施の形態に係る電力消費管理システムの比較例における節電目標と節電期間における節電量とを比較した図である。
【図１１】図１１は、本発明の第２の実施の形態に係る電力消費管理システムにおける節電目標と節電期間における節電量とを比較した図である。
【図１２】図１２は、本発明の第２の実施の形態に係る電力消費管理システムにおけるデマンドレスポンス処理のシーケンスの一例を示す図である。
【図１３】図１３は、本発明の第２の実施の形態に係る電力消費管理装置による総依頼抑制量の配分適正化処理の手順を定めたフローチャートである。
【図１４】図１４は、本発明の第２の実施の形態に係る電力消費管理システムにおける端末装置の構成を示す図である。
【図１５】図１５は、本発明の第３の実施の形態に係る電力消費管理システムにおけるデマンドレスポンス処理のシーケンスの一例を示す図である。
【図１６】図１６は、本発明の第３の実施の形態に係る電力消費管理システムにおける電力消費管理装置を示す図である。
【図１７】図１７は、本発明の第４の実施の形態に係る電力消費管理システムの構成を示す図である。
【図１８】図１８は、本発明の第４の実施の形態に係る電力消費管理システムにおけるデマンドレスポンス処理のシーケンスの一例を示す図である。
【図１９】図１９は、本発明の第４の実施の形態に係る電力消費管理システムにおける需要家装置の構成を示す図である。
【図２０】図２０は、本発明の第４の実施の形態に係る電力消費管理システムにおける端末装置の構成を示す図である。
【発明を実施するための形態】
【００３３】
最初に、本発明の実施の形態の内容を列記して説明する。
【００３４】
（１）本発明の実施の形態に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記受信部によって前記第２の指示情報が受信されたことに応答して、前記第２の指示情報に従う旨の第２の応答情報を前記電力消費管理装置へ送信する送信部とを備える。
【００３５】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家装置では、指示に従う旨を自動的に電力消費管理装置に通知することができる。したがって、電力需要施設における電力消費を適切に管理することができる。
【００３６】
（２）本発明の実施の形態に係る需要家装置は、電力需要施設において用いられる需要家装置であって、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記第２の指示情報に対する応答内容の前記需要家装置への入力が所定時間以内に行われない場合に、前記第２の指示情報に従う旨の第２の応答情報を前記電力消費管理装置へ送信する送信部とを備える。
【００３７】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置において再び需要家の判断結果を得ることにより、需要家の最終的な判断を反映した電力消費を実現することができる。そして、需要家の最終的な判断結果が得られない場合にも、端末装置を用いて需要家が既に行った判断に従うことで、指示情報に基づく処理を開始することができる。したがって、電力需要施設における電力消費を適切に管理することができる。
【００３８】
（３）本発明の実施の形態に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、前記電力需要施設における人の存在に関する存在情報を取得する取得部と、前記取得部によって取得された前記存在情報に基づいて、前記第２の指示情報に従う旨の第２の応答情報を前記電力消費管理装置へ送信する送信部とを備える。
【００３９】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置では、たとえば、電力需要施設に需要家が存在するときは当該需要家の判断を得ながら、需要家が不在のときは当該指示に従う旨を自動的に電力消費管理装置に通知することができる。
【００４０】
（４）本発明の実施の形態に係る需要家装置は、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信する受信部と、前記受信部によって前記第２の指示情報が受信されたことに応答して、前記第２の指示情報に従って前記電力需要施設における負荷を制御する制御部とを備える。
【００４１】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、たとえば、需要家が端末装置を用いて行った当該指示に従う旨の判断に基づく動作を需要家装置が自動的に行うことにより、電力需要施設において当該指示に従った電力消費を確実に行うことができる。したがって、電力需要施設における電力消費を適切に管理することができる。
【００４２】
（５）好ましくは、前記需要家装置は、さらに、前記需要家装置の異常を検知する検知部を備え、前記送信部は、前記検知部によって異常が検知されている場合、前記第２の指示情報に従う旨の第２の応答情報に代わり、前記第２の指示情報に従わない旨の第２の応答情報を前記電力消費管理装置へ送信する。
【００４３】
このような構成により、たとえば、需要家装置に異常があることにより、電力需要施設において上記指示に従った電力消費を行うことができない場合に、その旨を電力消費管理装置に通知することができる。
【００４４】
（６）本発明の実施の形態に係る電力消費管理装置は、電力需要施設における電力消費を管理する電力消費管理装置であって、前記電力消費に関する第１の指示情報を端末装置へ送信する送信部と、前記端末装置から前記第１の指示情報に対する第１の応答情報を受信する受信部とを備え、前記送信部は、前記受信部によって受信された前記第１の応答情報に基づいて、前記電力消費に関する第２の指示情報を、前記電力需要施設において用いられる需要家装置へ送信する。
【００４５】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００４６】
（７）好ましくは、前記送信部は、前記第１の指示情報に従わない旨を前記第１の応答情報が示している場合、前記第２の指示情報を前記需要家装置へ送信しない。
【００４７】
このような構成により、端末装置を用いて需要家が上記指示に従わない旨の判断を行った場合に、需要家装置への不要な情報の送信および不要な処理の発生を防ぐことができる。
【００４８】
（８）好ましくは、前記電力消費管理装置は、さらに、前記端末装置から前記電力需要施設の需要家に関する需要家情報を取得する取得部と、前記取得部によって取得された前記需要家情報に基づいて、前記第１の指示情報を作成する指示情報作成部とを備える。
【００４９】
このような構成により、需要家の情報を反映して当該需要家に対する指示の内容を決めることができるため、たとえば、需要家に許容される可能性の高い指示情報を作成することができる。
【００５０】
（９）より好ましくは、前記取得部は、前記第１の指示情報が前記送信部によって前記端末装置へ送信された後、前記需要家情報を取得し、前記指示情報作成部は、前記取得部によって取得された前記需要家情報に基づいて前記第１の指示情報を修正し、前記送信部は、前記指示情報作成部によって修正された前記第１の指示情報を前記端末装置へ送信する。
【００５１】
このように、端末装置へ既に送信した指示情報の内容を需要家情報に基づいて修正し、修正後の指示情報を再び端末装置へ送信する構成により、たとえば、指示に従わないと一旦判断した需要家に許容される可能性の高い指示情報を改めて送信することができる。
【００５２】
（１０）より好ましくは、前記送信部は、複数の前記電力需要施設にそれぞれ対応する複数の前記端末装置へ前記第１の指示情報を送信し、前記取得部は、複数の前記端末装置から前記需要家情報を取得し、前記指示情報作成部は、前記端末装置へ送信すべき前記第１の指示情報を、他の前記端末装置から取得された前記需要家情報に基づいて修正する。
【００５３】
このような構成により、たとえば、電力需要施設間で電力消費の抑制量を調整することができるため、複数の電力需要施設の電力消費に関する全体的な目標を柔軟に達成することができる。
【００５４】
（１１）より好ましくは、前記取得部は、前記第１の指示情報が前記送信部によって前記端末装置へ送信される前に前記需要家情報を取得し、前記指示情報作成部は、前記取得部によって取得された前記需要家情報に基づいて前記第１の指示情報を作成する。
【００５５】
このような構成により、端末装置へ最初に送信する指示情報の内容を、予め取得した需要家情報に基づいて決めることができるため、需要家に許容される可能性の高い指示情報をより確実に作成することができる。
【００５６】
（１２）好ましくは、前記需要家情報は、前記需要家のスケジュール、前記電力消費の抑制可能量および前記需要家の位置のうちの少なくともいずれか１つに関する情報である。
【００５７】
このような構成により、たとえば、電力需要施設における消費電力を推測することができるため、需要家に許容される可能性の高い指示情報をより確実に作成することができる。
【００５８】
（１３）好ましくは、前記受信部は、前記第２の指示情報に対する前記第２の応答情報を前記需要家装置から受信し、前記送信部は、前記第２の指示情報に従わない旨を前記第２の応答情報が示している場合、前記第２の応答情報の内容を示す情報を前記端末装置へ送信する。
【００５９】
このような構成により、たとえば端末装置を用いて需要家が行った判断と異なる判断が需要家装置においてなされた場合に、その旨を当該需要家に通知することができる。
【００６０】
（１４）本発明の実施の形態に係る電力消費管理システムは、電力需要施設における電力消費を管理する電力消費管理装置と、前記電力需要施設において用いられる需要家装置と、端末装置とを備え、前記電力消費管理装置は、前記電力消費に関する第１の指示情報を前記端末装置へ送信し、前記端末装置は、前記電力消費管理装置から前記第１の指示情報を受信して、受信した前記第１の指示情報に対する第１の応答情報を前記電力消費管理装置へ送信し、前記電力消費管理装置は、前記端末装置から前記第１の応答情報を受信して、受信した前記第１の応答情報に基づいて、前記電力消費に関する第２の指示情報を前記需要家装置へ送信する。
【００６１】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００６２】
（１５）本発明の実施の形態に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報を受信したことに応答して、前記第２の指示情報に従う旨の第２の応答情報を前記電力消費管理装置へ送信するステップとを含む。
【００６３】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家装置では、指示に従う旨を自動的に電力消費管理装置に通知することができる。したがって、電力需要施設における電力消費を適切に管理することができる。
【００６４】
（１６）本発明の実施の形態に係る電力消費管理方法は、電力需要施設において用いられる需要家装置における電力消費管理方法であって、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報に対する応答内容の前記需要家装置への入力が所定時間以内に行われない場合に、前記第２の指示情報に従う旨の第２の応答情報を前記電力消費管理装置へ送信するステップとを含む。
【００６５】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置において再び需要家の判断結果を得ることにより、需要家の最終的な判断を反映した電力消費を実現することができる。そして、需要家の最終的な判断結果が得られない場合にも、端末装置を用いて需要家が既に行った判断に従うことで、指示情報に基づく処理を開始することができる。したがって、電力需要施設における電力消費を適切に管理することができる。
【００６６】
（１７）本発明の実施の形態に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記電力需要施設における人の存在に関する存在情報を取得するステップと、取得した前記存在情報に基づいて、前記第２の指示情報に従う旨の第２の応答情報を前記電力消費管理装置へ送信するステップとを含む。
【００６７】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置では、たとえば、電力需要施設に需要家が存在するときは当該需要家の判断を得ながら、需要家が不在のときは当該指示に従う旨を自動的に電力消費管理装置に通知することができる。
【００６８】
（１８）本発明の実施の形態に係る電力消費管理方法は、需要家装置における電力消費管理方法であって、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、前記第２の指示情報を受信したことに応答して、前記第２の指示情報に従って前記電力需要施設における負荷を制御するステップとを含む。
【００６９】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、たとえば、需要家が端末装置を用いて行った当該指示に従う旨の判断に基づく動作を需要家装置が自動的に行うことにより、電力需要施設において当該指示に従った電力消費を確実に行うことができる。したがって、電力需要施設における電力消費を適切に管理することができる。
【００７０】
（１９）本発明の実施の形態に係る電力消費管理方法は、電力需要施設における電力消費を管理する電力消費管理装置における電力消費管理方法であって、前記電力消費に関する第１の指示情報を端末装置へ送信するステップと、前記端末装置から前記第１の指示情報に対する第１の応答情報を受信するステップと、受信した前記第１の応答情報に基づいて、前記電力消費に関する第２の指示情報を、前記電力需要施設において用いられる需要家装置へ送信するステップとを含む。
【００７１】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００７２】
（２０）本発明の実施の形態に係る電力消費管理方法は、電力需要施設における電力消費を管理する電力消費管理装置と、前記電力需要施設において用いられる需要家装置と、端末装置とを備える電力消費管理システムにおいて用いられる電力消費管理方法であって、前記電力消費管理装置が、前記電力消費に関する第１の指示情報を前記端末装置へ送信するステップと、前記端末装置が、前記電力消費管理装置から前記第１の指示情報を受信して、受信した前記第１の指示情報に対する第１の応答情報を前記電力消費管理装置へ送信するステップと、前記電力消費管理装置が、前記端末装置から前記第１の応答情報を受信して、受信した前記第１の応答情報に基づいて、前記電力消費に関する第２の指示情報を前記需要家装置へ送信するステップとを含む。
【００７３】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００７４】
（２１）本発明の実施の形態に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報を受信したことに応答して、前記第２の指示情報に従う旨の第２の応答情報を前記電力消費管理装置へ送信するステップとを実行させるためのプログラムである。
【００７５】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家装置では、指示に従う旨を自動的に電力消費管理装置に通知することができる。したがって、電力需要施設における電力消費を適切に管理することができる。
【００７６】
（２２）本発明の実施の形態に係る電力消費管理プログラムは、電力需要施設において用いられる需要家装置、において用いられる電力消費管理プログラムであって、コンピュータに、前記電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記第２の指示情報に対する応答内容の前記需要家装置への入力が所定時間以内に行われない場合に、前記第２の指示情報に従う旨の第２の応答情報を前記電力消費管理装置へ送信するステップとを実行させるためのプログラムである。
【００７７】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置において再び需要家の判断結果を得ることにより、需要家の最終的な判断を反映した電力消費を実現することができる。そして、需要家の最終的な判断結果が得られない場合にも、端末装置を用いて需要家が既に行った判断に従うことで、指示情報に基づく処理を開始することができる。したがって、電力需要施設における電力消費を適切に管理することができる。
【００７８】
（２３）本発明の実施の形態に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信するステップと、前記電力需要施設における人の存在に関する存在情報を取得するステップと、取得した前記存在情報に基づいて、前記第２の指示情報に従う旨の第２の応答情報を前記電力消費管理装置へ送信するステップとを実行させるためのプログラムである。
【００７９】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、需要家装置では、たとえば、電力需要施設に需要家が存在するときは当該需要家の判断を得ながら、需要家が不在のときは当該指示に従う旨を自動的に電力消費管理装置に通知することができる。
【００８０】
（２４）本発明の実施の形態に係る電力消費管理プログラムは、需要家装置において用いられる電力消費管理プログラムであって、コンピュータに、電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する情報であって前記電力消費管理装置への応答が不要である旨を示す第２の指示情報を受信するステップと、前記第２の指示情報を受信したことに応答して、前記第２の指示情報に従って前記電力需要施設における負荷を制御するステップとを実行させるためのプログラムである。
【００８１】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。また、たとえば、需要家が端末装置を用いて行った当該指示に従う旨の判断に基づく動作を需要家装置が自動的に行うことにより、電力需要施設において当該指示に従った電力消費を確実に行うことができる。したがって、電力需要施設における電力消費を適切に管理することができる。
【００８２】
（２５）本発明の実施の形態に係る電力消費管理プログラムは、電力需要施設における電力消費を管理する電力消費管理装置において用いられる電力消費管理プログラムであって、コンピュータに、前記電力消費に関する第１の指示情報を端末装置へ送信するステップと、前記端末装置から前記第１の指示情報に対する第１の応答情報を受信するステップと、受信した前記第１の応答情報に基づいて、前記電力消費に関する第２の指示情報を、前記電力需要施設において用いられる需要家装置へ送信するステップとを実行させるためのプログラムである。
【００８３】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００８４】
（２６）本発明の実施の形態に係る電力消費管理プログラムは、端末装置において用いられる電力消費管理プログラムであって、コンピュータに、電力需要施設における電力消費を管理する電力消費管理装置から前記電力消費に関する第１の指示情報を受信するステップと、受信した前記第１の指示情報に対する第１の応答情報を前記電力消費管理装置へ送信するステップとを実行させるためのプログラムであり、前記電力消費管理装置が、前記端末装置から前記第１の応答情報を受信し、受信した前記第１の応答情報に基づいて、前記電力消費に関する第２の指示情報を、前記電力需要施設において用いられる需要家装置へ送信する。
【００８５】
このように、電力消費に関する指示情報を、携帯端末装置等、需要家の利用頻度の高い端末装置へ送信する構成により、需要家の行動を的確に反映した節電の指示または当該指示に従うか否かの判断を得ることができる。そして、需要家の判断結果に基づく指示を需要家装置に与えることにより、電力需要施設において当該判断結果に従った電力消費を行うことができる。したがって、電力需要施設における電力消費を適切に管理することができる。
【００８６】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００８７】
＜第１の実施の形態＞
［構成および基本動作］
図１は、本発明の第１の実施の形態に係る電力消費管理システムにおけるデマンドレスポンスについて説明するための図である。
【００８８】
図１を参照して、住宅、ビルまたは工場等の電力需要施設３へ電力供給を行う電力小売事業者１は、たとえば電力需給の逼迫が予想される場合に、アグリゲータ２に節電要請を行う。
【００８９】
アグリゲータ２は、たとえば、ＨＥＭＳ（Ｈｏｍｅ  Ｅｎｅｒｇｙ  Ｍａｎａｇｅｍｅｎｔ  Ｓｙｓｔｅｍ）アグリゲータまたはＢＥＭＳ（Ｂｕｉｌｄｉｎｇ  Ｅｎｅｒｇｙ  Ｍａｎａｇｅｍｅｎｔ  Ｓｙｓｔｅｍ）アグリゲータ等、複数の電力需要施設３における省エネを支援する事業者である。アグリゲータ２は、電力小売事業者１からの節電要請を受けると、各電力需要施設３における需要家４に節電要請を行う。
【００９０】
各需要家４は、アグリゲータ２からの節電要請を受けて、自己の電力需要施設３で節電を行うか否かつまり電力小売事業者１から供給される電力の消費を抑制するか否かを判断する。
【００９１】
需要家４がアグリゲータ２からの節電要請に応じて電力需要施設３において節電を行うと、電力需要施設３からアグリゲータ２へネガワットすなわち削減された消費電力が提供される。アグリゲータ２は、各電力需要施設３から提供されたネガワットを電力小売事業者１へ提供する。
【００９２】
これに対して、電力小売事業者１は、アグリゲータ２へインセンティブ、すなわち節電の対価を支払う。アグリゲータ２は、電力小売事業者１から受けた当該対価を各需要家４に分配する。
【００９３】
デマンドレスポンスは、このように、各需要家４に対価を支払うなどの方法により、電力需給の逼迫する時間帯において各電力需要施設３における電力消費の抑制を促し、電力の安定供給を図る仕組みである。
【００９４】
（本発明の実施の形態の比較例について）
図２は、本発明の第１の実施の形態に係る電力消費管理システムの比較例の構成を示す図である。
【００９５】
図２を参照して、電力消費管理システム２０１は、小売事業者装置１１と、電力消費管理装置１２と、複数の需要家装置１３と、複数の負荷１５とを備える。
【００９６】
小売事業者装置１１は、たとえば電力小売事業者１によって運用されるサーバであり、ネットワークを介して電力消費管理装置１２と接続される。小売事業者装置１１は、電力小売事業者１からアグリゲータ２への節電要請として、電力消費管理装置１２へ電力管理情報を送信する。
【００９７】
電力管理情報は、たとえば、アグリゲータ２が各需要家４に節電を行わせるべき期間である節電期間と、アグリゲータ２が節電期間において達成すべき目標である全体節電目標とを示す。具体的には、電力管理情報は、全体節電目標として、アグリゲータ２が各需要家４に削減させるべき消費電力量の合計値、すなわち各電力需要施設３において削減されるべき消費電力量の合計値である総依頼抑制量を示す。
【００９８】
需要家装置１３は、電力需要施設３における電気設備等の動作を制御することによって消費電力の削減を図るためのＨＥＭＳまたはＢＥＭＳ等のシステムにおいて用いられる装置であり、たとえばアグリゲータ２によって導入される。需要家装置１３は、電力需要施設３において用いられる。
【００９９】
負荷１５は、たとえば電力需要施設３おいて設置された空調機器または照明機器等の電気的負荷である。
【０１００】
電力消費管理装置１２は、たとえばアグリゲータ２によって運用されるサーバであり、ネットワークを介して各電力需要施設３の需要家装置１３に接続され、各電力需要施設３における電力消費を管理する。
【０１０１】
電力消費管理装置１２および需要家装置１３の通信は、たとえば、国際規格であるＯｐｅｎＡＤＲで規定された通信プロトコルに従って行われる。電力消費管理装置１２および需要家装置１３が互いに送受信する情報は、当該通信プロトコルに従う情報である。
【０１０２】
電力消費管理装置１２は、アグリゲータ２から各需要家４への節電要請として、各需要家装置１３へ指示情報を送信する。
【０１０３】
指示情報は、たとえば、電力需要施設３において節電を行うべき期間である節電期間と、電力需要施設３において削減すべき消費電力量である節電目標とを示す。節電目標は、たとえば電力需要施設３ごとに設定される。
【０１０４】
電力消費管理装置１２は、電力管理情報の示す総依頼抑制量を各電力需要施設３に分配することにより、各電力需要施設３における節電目標を設定する。つまり、各電力需要施設３の節電目標が示す削減すべき消費電力量の合計値は、総依頼抑制量と等しくなる。
【０１０５】
このとき、電力消費管理装置１２は、予め記憶している各電力需要施設３における消費電力量の実績値情報、各電力需要施設３における消費電力のベースライン情報、気象情報、およびカレンダー情報等に基づいて、総依頼抑制量を各電力需要施設３へ分配する。
【０１０６】
実績値情報は、たとえば、各電力需要施設３における消費電力量の長期にわたる時間変化を示す。各電力需要施設３における消費電力のベースライン情報は、たとえば、小売事業者装置１１が過去のデータに基づいて作成した情報である。気象情報は、長期にわたって取得された電力需要施設３の存在する地域における気温等の時間変化を示す。
【０１０７】
需要家装置１３は、電力消費管理装置１２から指示情報を受信すると、たとえば需要家４が予め設定した内容に基づいて、指示情報に従うか否か、つまりアグリゲータ２からの節電要請を受諾して電力需要施設３を節電イベントに参加させるか否かを判断する。
【０１０８】
需要家装置１３は、電力需要施設３を節電イベントに参加させると判断した場合、節電期間において節電目標が達成されるように、負荷１５の消費電力を抑制して電力需要施設３における消費電力を削減する。
【０１０９】
図３は、本発明の第１の実施の形態に係る電力消費管理システムの比較例におけるデマンドレスポンス処理のシーケンスの一例を示す図である。
【０１１０】
図３を参照して、まず、電力小売事業者１によって運用される小売事業者装置１１は、電力需給が逼迫すると予想した場合（ステップＳ１１）、節電期間と全体節電目標すなわち総依頼抑制量とを示す電力管理情報をアグリゲータ２によって運用される電力消費管理装置１２へ送信する（ステップＳ１２）。
【０１１１】
次に、電力消費管理装置１２は、小売事業者装置１１から電力管理情報を受信して、受信した電力管理情報の示す総依頼抑制量を各電力需要施設３に分配し（ステップＳ１３）、節電期間および節電目標を示す指示情報を電力需要施設３ごとに作成する。電力消費管理装置１２は、作成した各指示情報を対応の需要家装置１３へ送信する（ステップＳ１４）。
【０１１２】
次に、需要家装置１３は、電力消費管理装置１２から指示情報を受信して、受信した指示情報に従うか否か、すなわち電力需要施設３を節電イベントに参加させるか否かを判断する（ステップＳ１５）。
【０１１３】
具体的には、たとえば需要家４は、電力需要施設３が節電イベントに参加する条件等を予め需要家装置１３に設定する。需要家装置１３は、需要家４が予め設定した条件に基づいて、電力需要施設３を節電イベントに参加させるか否かを判断する。
【０１１４】
なお、需要家装置１３が電力需要施設３を節電イベントに参加させるか否かを判断する構成に限らず、需要家４が直接判断する構成であってもよい。この場合、たとえば、需要家４は、需要家装置１３が受信した指示情報の内容を確認して、電力需要施設３を節電イベントに参加させるか否かを自ら判断し、判断結果を需要家装置１３に入力する。
【０１１５】
次に、需要家装置１３は、受信した指示情報に対する応答情報であって、電力需要施設３を節電イベントに参加させる否かを示す指示応答情報を電力消費管理装置１２へ送信する。ここでは、需要家装置１３は、電力需要施設３を節電イベントに参加させる旨を示す応答情報を電力消費管理装置１２へ送信する（ステップＳ１６）。
【０１１６】
次に、電力消費管理装置１２は、各需要家装置１３から指示応答情報を受信して、受信した指示応答情報に基づいて、全体節電目標を達成可能か否かを判断することにより、小売事業者装置１１から受信した電力管理情報に従うか否か、つまりアグリゲータ２の節電イベントへの参加または不参加を決定する（ステップＳ１７）。
【０１１７】
具体的には、たとえば、電力消費管理装置１２は、各需要家装置１３から受信した指示応答情報のうち、電力需要施設３を節電イベントに参加させる旨の１または複数の指示応答情報に基づいて、各電力需要施設３における削減予定の電力量の合計値（以下、総削減予定量とも称する。）を算出する。
【０１１８】
次に、電力消費管理装置１２は、小売事業者装置１１から受信した電力管理情報の示す総依頼抑制量に算出した総削減予定量が達している場合、全体節電目標を達成することができると判断し、アグリゲータ２の節電イベントへの参加を決定する。
【０１１９】
次に、電力消費管理装置１２は、アグリゲータ２の節電イベントへの参加を決定すると、電力管理情報に対する応答情報であって、節電イベントに参加する旨を示す判断情報を小売事業者装置１１へ送信する（ステップＳ１８）。
【０１２０】
次に、電力消費管理装置１２は、電力需要施設３を節電イベントに参加させる旨を示す指示応答情報を自己へ送信した需要家装置１３へ参加確定通知を送信する（ステップＳ１９）。参加確定通知は、アグリゲータ２が節電イベントに参加する旨を通知するための情報である。
【０１２１】
次に、需要家装置１３は、電力消費管理装置１２から参加確定通知を受信した場合すなわちアグリゲータ２が節電イベントに参加する場合、節電期間において、自己の電力需要施設３における負荷１５を制御して消費電力量の削減すなわち節電を行い（ステップＳ２０）、節電目標を達成する。
【０１２２】
次に、需要家装置１３は、節電期間において節電を行った後、節電期間における節電量すなわち削減した消費電力量を示す結果情報を電力消費管理装置１２へ送信する（ステップＳ２１）。
【０１２３】
次に、電力消費管理装置１２は、各需要家装置１３から結果情報を受信して、各電力需要施設３における節電量を集計し（ステップＳ２２）、集計結果を示す全体結果情報を小売事業者装置１１へ送信する（ステップＳ２３）。
【０１２４】
一方、電力消費管理装置１２は、総削減予定量が総依頼抑制量に達してない場合、全体節電目標を達成することができないと判断し、アグリゲータ２の節電イベントへの不参加を決定する。
【０１２５】
この場合、電力消費管理装置１２は、アグリゲータ２が節電イベントに参加しない旨を示す判断情報を小売事業者装置１１へ送信する。また、電力消費管理装置１２は、電力需要施設３を節電イベントに参加させる旨を示す指示応答情報を自己へ送信した需要家装置１３へ不参加確定通知を送信する。不参加確定通知は、アグリゲータ２が節電イベントに参加しない旨を通知するための情報である。
【０１２６】
需要家装置１３は、電力消費管理装置１２から不参加確定通知を受信した場合すなわちアグリゲータ２が節電イベントに参加しない場合、節電期間において節電を行わない。
【０１２７】
ここで、たとえば、需要家４が電力需要施設３から外出する場合、照明機器および空調機器等を停止させても問題が無いことが多いため、電力需要施設３は節電イベントに参加することが可能である。アグリゲータ２は、電力需要施設３が節電イベントに参加することにより、当該電力需要施設３からネガワットの提供を受けることができる。また、需要家４は、自己の電力需要施設３が節電イベントに参加することにより、節電の対価を受け取ることができる。
【０１２８】
しかしながら、需要家装置１３は、たとえば、上述のように、電力消費管理装置１２から指示情報を受信すると、需要家４が予め設定した条件に基づいて、電力需要施設３を節電イベントに参加させるか否かを自動で判断する。
【０１２９】
このため、たとえば、需要家４に外出する予定があり、当該予定に基づく条件が設定されていない場合、需要家装置１３は、電力需要施設３を節電イベントに参加させることが可能であるにも関わらず、電力需要施設３を節電イベントに参加させないと判断してしまうことがある。
【０１３０】
また、電力需要施設３を節電イベントに参加させるか否かを需要家装置１３が判断する構成ではなく、需要家４が直接判断する構成である場合であっても、たとえば、需要家４に需要家装置１３を日常的に操作する習慣が無いような場合、判断結果の需要家装置１３への入力が行われない可能性がある。そして、このような場合、需要家装置１３は、電力需要施設３を節電イベントに参加させることが可能であるにも関わらず、たとえばタイムアウト処理として、電力需要施設３を節電イベントに参加させないと判断してしまうことがある。
【０１３１】
そこで、本発明の第１の実施の形態に係る電力管理システムでは、以下のような構成および動作により、このような課題を解決する。
【０１３２】
（本発明の第１の実施の形態について）
［システム構成］
図４は、本発明の第１の実施の形態に係る電力システムの構成を示す図である。
【０１３３】
図４を参照して、電力消費管理システム１０１は、小売事業者装置１１と、電力消費管理装置１２と、複数の需要家装置１３と、複数の負荷１５と、複数の端末装置１６とを備える。
【０１３４】
すなわち、電力消費管理システム１０１は、図２に示す電力消費管理システム２０１と比べて、さらに、複数の端末装置１６を備える。
【０１３５】
端末装置１６は、携帯電話、スマートフォン、タブレットまたはノートパソコン等の端末装置であり、ネットワークを介して電力消費管理装置１２と接続される。各端末装置１６は、各電力需要施設３の需要家４により、たとえば電力需要施設３の中または外において使用される。端末装置１６は、需要家４の所有物であってもよいし、他の者の所有物であってもよい。
【０１３６】
本発明の第１の実施の形態に係る電力消費管理システム１０１では、電力消費管理装置１２は、各端末装置１６および各需要家装置１３へ指示情報を送信する。以下、電力消費管理装置１２が端末装置１６へ送信する指示情報を第１指示情報とも称し、電力消費管理装置１２が需要家装置１３へ送信する指示情報を第２指示情報とも称する。
【０１３７】
端末装置１６は、電力消費管理装置１２から第１指示情報を受信した後、第１指示情報に対する応答情報であって、電力需要施設３を節電イベントに参加させるか否か、すなわち第１指示情報に従うか否かを示す第１応答情報を電力消費管理装置１２へ送信する。以下、電力需要施設３を節電イベントに参加させる旨を示す第１応答情報を第１応答情報Ｙとも称し、電力需要施設３を節電イベントに参加させない旨を示す第１応答情報を第１応答情報Ｎとも称する。
【０１３８】
需要家装置１３は、電力消費管理装置１２から第２指示情報を受信した後、第２指示情報に対する応答情報であって、電力需要施設３を節電イベントに参加させるか否か、すなわち第２指示情報に従うか否かを示す第２応答情報を電力消費管理装置１２へ送信する。以下、電力需要施設３を節電イベントに参加させる旨を示す第２応答情報を第２応答情報Ｙとも称し、電力需要施設３を節電イベントに参加させない旨を示す第２応答情報を第２応答情報Ｎとも称する。
【０１３９】
電力消費管理装置１２は、端末装置１６と、当該端末装置１６の使用者である需要家４の電力需要施設３と、当該電力需要施設３において用いられる需要家装置１３とを、予め互いに対応付けて記憶している。たとえば、電力消費管理装置１２は、ある電力需要施設３の電力消費に関する第１指示情報を送信する場合、当該電力需要施設３に対応する端末装置１６へ当該第１指示情報を送信する。また、電力消費管理装置１２は、ある電力需要施設３の電力消費に関する第２指示情報を送信する場合、当該電力需要施設３に対応する需要家装置１３へ当該第２指示情報を送信する。
【０１４０】
［動作］
次に、本発明の第１の実施の形態に係る電力消費管理システムにおいてデマンドレスポンスが行われる際の動作について説明する。
【０１４１】
電力消費管理システム１０１における各装置は、コンピュータを備え、当該コンピュータにおけるＣＰＵ等の演算処理部は、以下のシーケンスおよびフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１４２】
図５は、本発明の第１の実施の形態に係る電力消費管理システムにおけるデマンドレスポンス処理のシーケンスの一例を示す図である。
【０１４３】
図５を参照して、まず、電力小売事業者１によって運用される小売事業者装置１１は、電力需給が逼迫すると予想した場合（ステップＳ４１）、節電期間と全体節電目標すなわち総依頼抑制量とを示す電力管理情報をアグリゲータ２によって運用される電力消費管理装置１２へ送信する（ステップＳ４２）。
【０１４４】
次に、電力消費管理システム１０１は、総依頼抑制量を各電力需要施設３に適切に分配するための配分適正化処理を行う（ステップＳ４３〜ステップＳ４７）。
【０１４５】
具体的には、電力消費管理装置１２は、小売事業者装置１１から電力管理情報を受信して、総依頼抑制量を各電力需要施設３に分配し（ステップＳ４３）、節電期間および節電目標を示す第１指示情報を電力需要施設３ごとに作成する。そして、電力消費管理装置１２は、作成した各第１指示情報を対応の端末装置１６へ送信する（ステップＳ４４）。
【０１４６】
ここで、電力消費管理装置１２による総依頼抑制量の分配先である電力需要施設３は、電力消費管理装置１２が電力消費を管理する各電力需要施設３の全部であってもよいし、一部であってもよい。
【０１４７】
次に、端末装置１６は、電力消費管理装置１２から受信した第１指示情報の内容を、自己のディスプレイに表示する等により、需要家４に提示する。
【０１４８】
次に、需要家４は、端末装置１６の表示内容を確認し、第１指示情報に従うか否か、すなわち自己の電力需要施設３を節電イベントに参加させるか否かを判断し、判断結果を端末装置１６に入力する操作を行う。
【０１４９】
次に、端末装置１６は、需要家４による操作を受けて（ステップＳ４５）、電力需要施設３を節電イベントに参加させるか否かの判断結果を取得すると、第１指示情報に対する応答情報であって、当該判断結果を示す第１応答情報を電力消費管理装置１２へ送信する（ステップＳ４６）。
【０１５０】
次に、電力消費管理装置１２は、各端末装置１６から第１応答情報を受信して、全体節電目標を達成可能か否か、すなわち各電力需要施設３における削減予定の電力量の合計値である総削減予定量が総依頼抑制量に達しているか否かを判断する（ステップＳ４７）。
【０１５１】
電力消費管理装置１２は、総削減予定量が総依頼抑制量に達していないと判断した場合（ステップＳ４７でＮＯ）、総依頼抑制量を各電力需要施設３に再び分配する（ステップＳ４３）。そして、電力消費管理装置１２は、電力需要施設３ごとの第１指示情報を作成し、新たに作成した各第１指示情報を対応の端末装置１６へ送信する（ステップＳ４４）。
【０１５２】
次に、本発明の第１の実施の形態に係る電力消費管理システム１０１における配分適正化処理について詳細に説明する。
【０１５３】
図６は、本発明の第１の実施の形態に係る電力消費管理装置による総依頼抑制量の配分適正化処理の手順を定めたフローチャートである。
【０１５４】
図６を参照して、まず、電力消費管理装置１２は、たとえば、各電力需要施設３における消費電力量の実績値情報、各電力需要施設３における消費電力のベースライン情報、気象情報、およびカレンダー情報等に基づいて、総依頼抑制量を各電力需要施設３へ分配する（ステップＳ６１）。
【０１５５】
そして、電力消費管理装置１２は、各電力需要施設３に分配した総依頼抑制量を分配先の電力需要施設３における節電目標として、各電力需要施設３への第１指示情報を作成し、対応の端末装置１６へ送信する（ステップＳ６２）。
【０１５６】
次に、電力消費管理装置１２は、各端末装置１６から第１応答情報を受信しながら、各第１指示情報の送信から所定時間が経過するまで待機する（ステップＳ６３でＮＯ）。第１応答情報は、上述のように、第１指示情報を受信した端末装置１６から、需要家４の操作に応答して送信される。
【０１５７】
次に、電力消費管理装置１２は、第１指示情報の送信から所定時間が経過すると（ステップＳ６３でＹＥＳ）、各端末装置１６から受信した第１応答情報に基づいて、全体節電目標を達成可能か否かを判断する。
【０１５８】
具体的には、電力消費管理装置１２は、各端末装置１６から受信した第１応答情報のうち、電力需要施設３を節電イベントに参加させる旨の１または複数の第１応答情報すなわち第１応答情報Ｙに基づいて、各電力需要施設３における削減予定の電力量の合計値である総削減予定量を算出する。
【０１５９】
電力消費管理装置１２は、算出した総削減予定量が総依頼抑制量に達している場合、全体節電目標を達成可能であると判断する。
【０１６０】
ここで、電力消費管理装置１２は、上記所定時間が経過するまでの間に第１応答情報を自己へ送信しなかった端末装置１６を、第１応答情報Ｎを自己へ送信した端末装置１６であるとみなす。
【０１６１】
電力消費管理装置１２は、全体節電目標を達成できないと判断した場合（ステップＳ６４でＮＯ）、総依頼抑制量を各電力需要施設３に再び分配する（ステップＳ６１）。具体的には、電力消費管理装置１２は、総依頼抑制量と総削減予定量との差分（以下、全体差分電力量とも称する。）を各電力需要施設３に分配する。
【０１６２】
全体差分電力量の分配先の電力需要施設３は、たとえば、第１応答情報Ｙを電力消費管理装置１２へ既に送信した端末装置１６に対応する電力需要施設３である。なお、全体差分電力量の分配先の電力需要施設３は、未だ第１指示情報の送信先となっていない端末装置１６に対応する電力需要施設３を含んでもよい。
【０１６３】
次に、電力消費管理装置１２は、分配した全体差分電力量に基づいて、１または複数の第１指示情報を新たに作成し、対応の端末装置１６へ送信する（ステップＳ６２）。
【０１６４】
このように、電力消費管理装置１２は、たとえば、総削減予定量が総依頼抑制量に達するまでの間（ステップＳ６４でＮＯ）、ステップＳ６１〜ステップＳ６４に示す動作を繰り返す。
【０１６５】
ただし、電力消費管理装置１２は、節電期間の到来する所定時間前までに総削減予定量が総依頼抑制量に達しない場合、総依頼抑制量の配分適正化処理を終了し、アグリゲータ２の節電イベントへの不参加を決定する。
【０１６６】
一方、電力消費管理装置１２は、たとえば、総削減予定量が総依頼抑制量に達したことにより、全体節電目標を達成可能であると判断した場合（ステップＳ６４でＹＥＳ）、総依頼抑制量の配分適正化処理を終了する。
【０１６７】
再び図５を参照して、電力消費管理装置１２は、全体節電目標を達成可能であると判断し（ステップＳ４７でＹＥＳ）、総依頼抑制量の配分適正化処理を終了した後、節電イベントに参加する予定である１または複数の電力需要施設３に対応する需要家装置１３へ、節電期間および節電目標を示す第２指示情報を送信する（ステップＳ４８）。当該節電目標は、たとえば、総依頼抑制量の配分適正化処理において対応の電力需要施設３に最終的に分配された削減すべき消費電力量である。
【０１６８】
需要家装置１３は、電力消費管理装置１２から第２指示情報を受信して、第２指示情報に対する応答情報であって、電力需要施設３を節電イベントに参加させるか否かを示す第２応答情報を電力消費管理装置１２へ送信する（ステップＳ４９）。
【０１６９】
次に、需要家装置１３は、電力消費管理装置１２から第２指示情報を受信すると、電力需要施設３を節電イベントに参加させるか否かを判断することなく、電力需要施設３を節電イベントに参加させる旨を示す第２応答情報、すなわち第２応答情報Ｙを電力消費管理装置１２へ送信する。つまり、需要家装置１３は、第２指示情報を受信したことに応答して、第２指示情報に従う旨を示す第２応答情報を電力消費管理装置１２へ送信する。
【０１７０】
ここで、需要家装置１３は、自己の動作に異常が有る場合、第２応答情報Ｙに代わり、第２応答情報Ｎすなわち第２指示情報に従わない旨を示す第２応答情報を電力消費管理装置１２へ送信する。
【０１７１】
次に、電力消費管理装置１２は、各需要家装置１３から第２応答情報を受信して、受信した第２応答情報に基づいて、アグリゲータ２が節電イベントに参加するか否かを判断する（ステップＳ５０）。
【０１７２】
具体的には、電力消費管理装置１２は、たとえば、各需要家装置１３から受信した第２応答情報の全部が第２応答情報Ｙである場合、アグリゲータ２の節電イベントへの参加を決定する。
【０１７３】
電力消費管理装置１２は、アグリゲータ２の節電イベントへの参加を決定すると、電力管理情報に対する応答情報であって、アグリゲータ２が節電イベントに参加する旨を示す判断情報を小売事業者装置１１へ送信する（ステップＳ５０）。
【０１７４】
次に、電力消費管理装置１２は、第２応答情報Ｙを自己へ送信した需要家装置１３へアグリゲータ２が節電イベントに参加する旨を通知するための参加確定通知を送信する（ステップＳ５１）。また、電力消費管理装置１２は、各端末装置１６へ対応の電力需要施設３における最終的な節電目標を通知するための確定内容通知を送信する（ステップＳ５２）。
【０１７５】
ステップＳ５３〜ステップＳ５６に示す動作は、図３におけるステップＳ２０〜ステップＳ２３に示す動作と同様である。
【０１７６】
なお、電力消費管理システム１０１では、電力消費管理装置１２がステップＳ５０に示す動作において、アグリゲータ２の節電イベントへの不参加を決定した場合、ステップＳ４３〜ステップＳ４９に示す動作を繰り返してもよい。
【０１７７】
［装置構成］
次に、本発明の第１の実施の形態に係る電力消費管理システムにおける各装置の構成を説明する。
【０１７８】
図７は、本発明の第１の実施の形態に係る電力消費管理システムにおける電力消費管理装置の構成を示す図である。
【０１７９】
図７を参照して、電力消費管理装置１２は、受信部３１と、記憶部３２と、指示作成部３３と、処理部３４と、送信部３５とを備える。
【０１８０】
受信部３１は、節電期間と全体節電目標すなわち総依頼抑制量とを示す電力管理情報を小売事業者装置１１から受信して、指示作成部（指示情報作成部）３３および処理部３４へ出力する。
【０１８１】
記憶部３２は、各電力需要施設３における消費電力量の実績値情報、各電力需要施設３における消費電力のベースライン情報、気象情報、およびカレンダー情報等を予め記憶している。
【０１８２】
指示作成部３３は、受信部３１から電力管理情報を受けると、記憶部３２から各種情報を取得し、取得した情報に基づいて、総依頼抑制量を各電力需要施設３に分配し、節電期間および節電目標を示す第１指示情報を電力需要施設３ごとに作成する。指示作成部３３は、作成した各第１指示情報を送信部３５へ出力する。送信部３５は、指示作成部３３から第１指示情報を受けて、対応の端末装置１６へ送信する。
【０１８３】
受信部３１は、１または複数の端末装置１６から第１応答情報を受信して、処理部３４へ出力する。
【０１８４】
処理部３４は、受信部３１から第１応答情報を受けて、電力管理情報の示す全体節電目標を達成可能であるか否かを判断する。具体的には、処理部３４は、受信部３１から受けた１または複数の第１応答情報のうち、第１応答情報Ｙに基づいて、総削減予定量を算出する。処理部３４は、算出した総削減予定量が総依頼抑制量に達している場合、全体節電目標を達成可能であると判断する。
【０１８５】
処理部３４は、電力管理情報の示す全体節電目標を達成できないと判断した場合、全体節電目標を達成できない旨の通知を指示作成部３３へ出力する。
【０１８６】
指示作成部３３は、処理部３４から全体節電目標を達成できない旨の通知を受けると、総依頼抑制量を各電力需要施設３に再び分配する。具体的には、指示作成部３３は、総依頼抑制量と総削減予定量との差分である全体差分電力量を各電力需要施設３に分配する。
【０１８７】
全体差分電力量の分配先の電力需要施設３は、たとえば、第１応答情報Ｙを既に自己へ送信した端末装置１６に対応する電力需要施設３である。なお、全体差分電力量の分配先の電力需要施設３は、未だ第１指示情報の送信先となっていない端末装置１６に対応する電力需要施設３を含んでもよい。
【０１８８】
ここで、第１応答情報Ｙを自己へ既に送信した端末装置１６に対応する電力需要施設３では、節電目標が既に設定されている。指示作成部３３は、このような電力需要施設３に全体差分電力量を分配する際、当該電力需要施設３における既存の節電目標に、全体差分電力量から分配された量を加えることにより、当該電力需要施設３における新たな節電目標を設定する。
【０１８９】
指示作成部３３は、節電期間および新たな節電目標を示す第１指示情報を、対象の電力需要施設３ごとに作成する。指示作成部３３は、新たに作成した第１指示情報を送信部３５へ出力する。送信部３５は、指示作成部３３から受けた第１指示情報を対応の端末装置１６へ送信する。
【０１９０】
処理部３４は、全体節電目標を達成可能であると判断した場合、全体節電目標を達成可能である旨の通知を指示作成部３３へ出力する。
【０１９１】
指示作成部３３は、処理部３４から全体節電目標を達成可能である旨の通知を受けると、各需要家装置１３へ送信すべき第２指示情報を作成する。第２指示情報の送信先となる需要家装置１３は、第１応答情報Ｙを自己の電力消費管理装置１２へ送信した端末装置１６に対応する需要家装置１３である。
【０１９２】
第２指示情報は、送信先の電力需要施設３における節電目標および節電期間を示す。具体的には、第２指示情報の示す節電目標は、図６に示す総依頼抑制量の配分適正化処理において電力需要施設３に最終的に分配された削減すべき消費電力量である。指示作成部３３は、作成した各第２指示情報を送信部３５へ出力する。
【０１９３】
送信部３５は、受信部３１によって受信された第１応答情報に基づいて、第２指示情報を需要家装置１３へ送信する。具体的には、たとえば、送信部３５は、受信部３１によって受信された第１応答情報が第１応答情報Ｙである場合、当該第１応答情報Ｙの送信元の端末装置１６に対応する需要家装置１３へ第２指示情報を送信する。
【０１９４】
より具体的には、送信部３５は、指示作成部３３から第２指示情報を受けて、対応の需要家装置１３へ送信する。
【０１９５】
一方、送信部３５は、受信部３１によって受信された第１応答情報が第１指示情報に従わない旨を示す第１応答情報すなわち第１応答情報Ｎである場合、当該第１応答情報Ｎの送信元の端末装置１６に対応する需要家装置１３へ第２指示情報を送信しない。
【０１９６】
受信部３１は、第２指示情報の送信先である各需要家装置１３から第２応答情報を受信して、処理部３４へ出力する。
【０１９７】
処理部３４は、受信部３１から受けた各第２応答情報に基づいて、アグリゲータ２が節電イベントに参加するか否かを判断する。
【０１９８】
処理部３４は、アグリゲータ２の節電イベントへの参加を決定すると、アグリゲータ２が節電イベントに参加する旨の判断情報、アグリゲータ２が節電イベントに参加する旨を第２応答情報Ｙの送信元の需要家装置１３に通知するための参加確定通知、および、最終的な節電目標を節電イベントに参加する電力需要施設３の需要家４に通知するための確定内容通知を作成し、送信部３５へ出力する。
【０１９９】
送信部３５は、判断情報、参加確定通知および確定内容通知を処理部３４から受けて、小売事業者装置１１へ判断情報を送信し、参加確定通知を第２応答情報Ｙの送信元の需要家装置１３へ送信し、確定内容通知を節電イベントに参加する電力需要施設３に対応する端末装置１６へ送信する。
【０２００】
一方、送信部３５は、受信部３１の受信した第２応答情報が、第２指示情報に従わない旨を示している場合、当該第２応答情報の内容を示す情報を、当該第２応答情報の送信元の需要家装置１３に対応する端末装置１６へ送信する。
【０２０１】
具体的には、処理部３４は、たとえば、受信部３１から受けた第２応答情報の中に第２指示情報に従わない旨を示す第２応答情報すなわち第２応答情報Ｎがある場合、第２応答情報Ｎの内容を示す不参加通知を作成し、送信部３５へ出力する。
【０２０２】
送信部３５は、第２応答情報Ｎの内容を示す情報を処理部３４から受けて、第２応答情報Ｎの送信元の需要家装置１３に対応する端末装置１６へ不参加通知を送信する。
【０２０３】
当該端末装置１６へ第２応答情報Ｎの内容を示す情報を送信することにより、当該端末装置１６の使用者である需要家４に、当該需要家４の電力需要施設３が節電イベントに参加しない旨を通知する。
【０２０４】
なお、処理部３４は、第２指示情報を作成する際、電力消費管理装置１２への応答が不要である旨を第２指示情報に含めてもよい。この場合、受信部３１には、送信部３５が当該第２指示情報を需要家装置１３へ送信した後、需要家装置１３からの第２応答情報が到着しない。
【０２０５】
図８は、本発明の第１の実施の形態に係る電力消費管理システムにおける需要家装置の構成を示す図である。
【０２０６】
図８を参照して、需要家装置１３は、受信部２１と、送信部２２と、検知部２３と、処理部２４と、操作部２５と、制御部２６と、表示部２７と、測定部２８とを備える。
【０２０７】
受信部２１は、電力消費管理装置１２から第２指示情報を受信する。送信部２２は、受信部２１が第２指示情報を受信したことに応答して、第２応答情報Ｙすなわち第２指示情報に従う旨を示す第２応答情報を電力消費管理装置１２へ送信する。
【０２０８】
具体的には、受信部２１は、電力消費管理装置１２から受信した第２指示情報を処理部２４へ出力する。処理部２４は、受信部２１から第２指示情報を受けて、第２応答情報Ｙを作成し、送信部２２へ出力する。送信部２２は、処理部２４から受けた第２応答情報Ｙを電力消費管理装置１２へ送信する。
【０２０９】
受信部２１は、アグリゲータ２が節電イベントに参加する旨を示す参加確定通知を電力消費管理装置１２から受信し、受信した参加確定通知を処理部２４へ出力する。
【０２１０】
処理部２４は、受信部２１から参加確定通知を受けて、節電期間において節電目標を達成するための負荷１５の制御計画を作成し、作成した制御計画を制御部２６へ出力する。
【０２１１】
制御部２６は、処理部２４から受けた制御計画に従って負荷１５を制御する。
【０２１２】
なお、送信部２２は、受信部２１が第２指示情報を受信したことに応答して、第２応答情報Ｙを電力消費管理装置１２へ送信する構成に限らず、たとえば、受信部２１が第２指示情報を受信した後、第２指示情報に対する需要家４の応答内容を示す第２応答情報を電力消費管理装置１２へ送信する構成であってもよい。
【０２１３】
具体的には、たとえば、処理部２４は、受信部２１から第２指示情報を受けると、第２指示情報の内容を、たとえばディスプレイである表示部２７に表示することにより、需要家４に提示する。
【０２１４】
需要家４は、表示部２７に表示された第２指示情報の内容を確認し、第２指示情報に対する応答内容を需要家装置１３へ入力する。具体的には、需要家４は、第２指示情報の内容を確認して電力需要施設３を節電イベントに参加させるか否かを判断し、操作部２５を操作することにより、判断結果を需要家装置１３へ入力する。
【０２１５】
ここで、需要家４は、端末装置１６が電力消費管理装置１２から第１指示情報を受信してから、端末装置１６が電力消費管理装置１２へ第１応答情報を送信するまでの間において、既に、電力需要施設３を節電イベントに参加させるか否かを判断している。ここでは、需要家４は、電力需要施設３を節電イベントに参加させるか否かを最終的に判断する。
【０２１６】
操作部２５は、需要家４の操作により取得した需要家４の判断結果を処理部２４に通知する。処理部２４は、需要家４の判断結果を示す第２応答情報を作成して、送信部２２へ出力する。送信部２２は、処理部２４から受けた第２応答情報を電力消費管理装置１２へ送信する。
【０２１７】
送信部２２は、第２指示情報に対する応答内容の需要家装置１３への入力が所定時間以内に行われない場合に、第２応答情報Ｙすなわち第２指示情報に従う旨を示す第２応答情報を電力消費管理装置１２へ送信する。
【０２１８】
具体的には、たとえば、処理部２４は、表示部２７に第２指示情報の内容を表示してから所定時間以内に、需要家４が操作部２５を操作して判断結果を入力しない場合、たとえばタイムアウト処理として、第２応答情報Ｙを作成して送信部２２へ出力する。送信部２２は、処理部２４から受けた第２応答情報Ｙを電力消費管理装置１２へ送信する。
【０２１９】
また、受信部２１によって受信された第２指示情報が、節電期間および節電目標に加えて、さらに電力消費管理装置１２への応答が不要である旨を示す場合、制御部２６は、受信部２１によって当該第２指示情報が受信されたことに応答して、当該第２指示情報に従って電力需要施設３における負荷１５を制御する。
【０２２０】
具体的には、処理部２４は、受信部２１から第２指示情報を受けると、節電期間において節電目標を達成するための負荷１５の制御計画を作成し、制御部２６へ出力する。
【０２２１】
制御部２６は、処理部２４から受けた制御計画に従って負荷１５を制御する。
【０２２２】
検知部２３は、需要家装置１３の異常を検知する。たとえば、検知部２３は、需要家装置１３における各ユニットの動作を監視し、当該動作の異常を検知した場合、検知結果を処理部２４へ出力する。
【０２２３】
送信部２２は、検知部２３によって異常が検知されている場合、第２指示情報に従う旨を示す第２応答情報に代わり、第２指示情報に従わない旨を示す第２応答情報を電力消費管理装置１２へ送信する。
【０２２４】
具体的には、たとえば、処理部２４は、検知部２３によって需要家装置１３の異常が検知されていた場合、第２指示情報に従う旨を示す第２応答情報を正常時に作成すべきタイミングにおいて、第２指示情報に従わない旨を示す第２応答情報を作成し、送信部２２へ出力する。送信部２２は、処理部２４から受けた当該第２応答情報を電力消費管理装置１２へ送信する。
【０２２５】
測定部２８は、負荷１５の消費電力を測定し、測定結果を処理部２４へ出力する。処理部２４は、測定部２８から受けた測定結果に基づいて、電力需要施設３における節電期間の節電量を算出し、算出結果を示す結果情報を送信部２２へ出力する。送信部２２は、処理部２４から受けた結果情報を電力消費管理装置１２へ送信する。
【０２２６】
図９は、本発明の第１の実施の形態に係る電力消費管理システムにおける端末装置の構成を示す図である。
【０２２７】
図９を参照して、端末装置１６は、受信部５１と、送信部５２と、処理部５３と、操作部５４と、表示部５５とを備える。
【０２２８】
受信部５１は、電力消費管理装置１２から第１指示情報を受信し、受信した第１指示情報を処理部５３へ出力する。
【０２２９】
処理部５３は、受信部５１から受けた第１指示情報の内容をたとえばディスプレイである表示部５５に表示する。
【０２３０】
需要家４は、表示部５５に表示された第１指示情報の内容つまり当該需要家４の電力需要施設３における節電目標および節電期間を確認し、第１指示情報に対する応答内容を需要家装置１３へ入力する。
【０２３１】
具体的には、需要家４は、第１指示情報の内容を確認し、第１指示情報に従うか否かつまり電力需要施設３を節電イベントに参加させるか否かを判断し、操作部２５を操作することにより、判断結果を端末装置１６へ入力する。
【０２３２】
操作部５４は、需要家４の操作により取得した需要家４の判断結果を処理部５３に通知する。処理部５３は、操作部５４から通知を受けて、需要家４の判断結果を示す第１応答情報を作成し、送信部５２へ出力する。送信部５２は、処理部５３から受けた第１応答情報を電力消費管理装置１２へ送信する。
【０２３３】
ここで、電力消費管理装置１２は、たとえば図６に示す総依頼抑制量の配分適正化処理において、端末装置１６へ複数回、第１指示情報を送信する場合がある。
【０２３４】
端末装置１６における各ユニットは、受信部５１が電力消費管理装置１２から第１指示情報を受信するたびに、上記の動作を繰り返す。
【０２３５】
なお、本発明の第１の実施の形態に係る電力消費管理システム１０１は、１つの電力需要施設３に対応する複数の端末装置１６が用いられる構成であってもよい。これら複数の端末装置１６は、電力需要施設３における複数のユーザすなわち複数の需要家４によってそれぞれ使用される。
【０２３６】
また、本発明の第１の実施の形態に係る電力消費管理システム１０１では、電力消費管理装置１２は、節電期間および節電目標を示す第１指示情報を端末装置１６へ送信する構成であるとしたが、これに限定するものではない。たとえば、電力消費管理装置１２は、節電目標を示し、節電期間を示さない第１指示情報を端末装置１６へ送信する構成であってもよい。この場合、端末装置１６は、たとえば、第１指示情報を最初に受信した時刻から所定時間後の時刻を節電期間の開始時刻として認識する。
【０２３７】
また、本発明の第１の実施の形態に係る電力消費管理システム１０１では、電力消費管理装置１２は、節電期間および節電目標を示す第２指示情報を需要家装置１３へ送信する構成であるとしたが、これに限定するものではない。たとえば、電力消費管理装置１２は、節電目標を示し、節電期間を示さない第２指示情報を需要家装置１３へ送信する構成であってもよい。この場合、端末装置１６は、たとえば、第２指示情報を受信した時刻から所定時間後の時刻を節電期間の開始時刻として認識する。
【０２３８】
また、本発明の第１の実施の形態に係る電力消費管理システム１０１において、第１指示情報および第２要請情報の示す節電目標は、電力需要施設３において削減すべき消費電力量であるとしたが、これに限定するものではなく、たとえば、電力需要施設３における消費電力量の目標値であってもよい。
【０２３９】
また、本発明の第１の実施の形態に係る電力消費管理システム１０１では、電力消費管理装置１２は、電力需要施設３ごとに節電目標を設定する構成であるとしたが、たとえば、電力消費管理装置１２が最初に節電目標を設定する際に、各電力需要施設３で共通の節電目標を設定する構成であってもよい。つまり、電力消費管理装置１２が各端末装置１６へ最初に送信するすべての節電目標の内容が同じであってもよい。
【０２４０】
また、本発明の第１の実施の形態に係る電力消費管理システム１０１では、電力消費管理装置１２は、節電期間および節電目標を示す第１指示情報を端末装置１６へ送信する構成であるとしたが、これに限定するものではない。たとえば、電力消費管理装置１２は、さらに、総依頼抑制量、節電目標を達成するための行動を示す情報、および、電力需要施設３が節電に参加した場合に需要家４に支払われる対価を示す情報を含めて端末装置１６へ送信する構成であってもよい。「節電目標を達成するための行動を示す情報」の内容は、たとえば、「エアコンの設定温度を１℃下げる」等である。
【０２４１】
ところで、複数の電力需要施設における省エネを支援する事業者からの指示が、たとえば電力需要施設における過去の電力使用量等に基づいて作成されたものであり、電力需要施設における需要家の予定が普段と異なる場合には、需要家の行動を反映していない指示が当該事業者からなされてしまう。
【０２４２】
また、指示に従うか否かの判断を需要家により予め設定された条件に基づいて需要家装置が行う場合、普段と異なる需要家の予定を反映していない判断が需要家装置によりなされてしまう。
【０２４３】
これに対して、本発明の第１の実施の形態に係る需要家装置では、受信部２１は、電力需要施設３における電力消費を管理する電力消費管理装置１２が、電力消費に関する第１指示情報を端末装置１６へ送信し、端末装置１６から第１指示情報に対する第１応答情報を受信し、受信した第１応答情報に基づいて電力消費管理装置１２から送信される、電力消費に関する第２指示情報を受信する。送信部２２は、受信部２１によって第２指示情報が受信されたことに応答して、第２指示情報に従う旨の第２応答情報を電力消費管理装置１２へ送信する。
【０２４４】
このように、電力消費に関する指示情報を、携帯端末装置等、需要家４の利用頻度の高い端末装置１６へ送信する構成により、需要家４の行動を的確に反映した節電の指示または当該指示に従うか否かの判断を得ることができる。そして、需要家装置１３では、指示に従う旨を自動的に電力消費管理装置１２に通知することができる。
【０２４５】
したがって、本発明の第１の実施の形態に係る需要家装置では、電力需要施設３における電力消費を適切に管理することができる。
【０２４６】
また、本発明の第１の実施の形態に係る需要家装置では、検知部２３は、需要家装置１３の異常を検知する。送信部２２は、検知部によって異常が検知されている場合、第２指示情報に従う旨の第２応答情報に代わり、第２指示情報に従わない旨の第２応答情報を電力消費管理装置１２へ送信する。
【０２４７】
このような構成により、たとえば、需要家装置１３に異常があることにより、電力需要施設３において上記指示に従った電力消費を行うことができない場合に、その旨を電力消費管理装置１２に通知することができる。
【０２４８】
また、本発明の第１の実施の形態に係る電力消費管理装置では、送信部３５は、電力消費に関する第１指示情報を端末装置１６へ送信する。受信部３１は、端末装置１６から第１指示情報に対する第１応答情報を受信する。送信部３５は、受信部３１によって受信された第１応答情報に基づいて、電力消費に関する第２指示情報を、電力需要施設３において用いられる需要家装置１３へ送信する。
【０２４９】
また、本発明の第１の実施の形態に係る電力消費管理システムでは、電力消費管理装置１２は、電力消費に関する第１指示情報を端末装置１６へ送信する。端末装置１６は、電力消費管理装置１２から第１指示情報を受信して、受信した第１指示情報に対する第１応答情報を電力消費管理装置１２へ送信する。電力消費管理装置１２は、端末装置１６から第１応答情報を受信して、受信した第１応答情報に基づいて、電力消費に関する第２指示情報を需要家装置１３へ送信する。
【０２５０】
また、本発明の第１の実施の形態に係る端末装置である端末装置１６は、電力需要施設３における電力消費を管理する電力消費管理装置１２から電力消費に関する第１指示情報を受信する。端末装置１６は、受信した第１指示情報に対する第１応答情報を電力消費管理装置１２へ送信する。電力消費管理装置１２が、端末装置１６から第１応答情報を受信し、受信した第１応答情報に基づいて、電力消費に関する第２指示情報を、電力需要施設３において用いられる需要家装置１３へ送信する。
【０２５１】
このように、電力消費に関する指示情報を、携帯端末装置等、需要家４の利用頻度の高い端末装置１６へ送信する構成により、需要家４の行動を的確に反映した節電の指示または当該指示に従うか否かの判断を得ることができる。そして、需要家４の判断結果に基づく指示を需要家装置１３に与えることにより、電力需要施設３において当該判断結果に従った電力消費を行うことができる。
【０２５２】
したがって、本発明の第１の実施の形態に係る電力消費管理装置、電力消費管理システムおよび端末装置では、電力需要施設３における電力消費を適切に管理することができる。
【０２５３】
また、本発明の第１の実施の形態に係る電力消費管理装置では、送信部３５は、第１指示情報に従わない旨を第１応答情報が示している場合に、第２指示情報を需要家装置１３へ送信しない。
【０２５４】
このような構成により、端末装置１６を用いて需要家４が上記指示に従わない旨の判断を行った場合に、需要家装置１３への不要な情報の送信および不要な処理の発生を防ぐことができる。
【０２５５】
また、本発明の第１の実施の形態に係る電力消費管理装置では、受信部３１は、第２指示情報に対する第２応答情報を需要家装置１３から受信する。送信部３５は、第２指示情報に従わない旨を第２応答情報が示している場合、第２応答情報の内容を示す情報を端末装置１６へ送信する。
【０２５６】
このような構成により、たとえば端末装置１６を用いて需要家４が行った判断と異なる判断が需要家装置１３においてなされた場合に、その旨を当該需要家４に通知することができる。
【０２５７】
また、本発明の第１の実施の形態に係る需要家装置では、受信部２１は、電力需要施設３における電力消費を管理する電力消費管理装置１２が、電力消費に関する第１指示情報を端末装置１６へ送信し、端末装置１６から第１指示情報に対する第１応答情報を受信し、受信した第１応答情報に基づいて電力消費管理装置１２から送信される、電力消費に関する第２指示情報を受信する。送信部２２は、第２指示情報に対する応答内容の需要家装置１３への入力が所定時間以内に行われない場合に、第２指示情報に従う旨の第２応答情報を電力消費管理装置１２へ送信する。
【０２５８】
このように、電力消費に関する指示情報を、携帯端末装置等、需要家４の利用頻度の高い端末装置１６へ送信する構成により、需要家４の行動を的確に反映した節電の指示または当該指示に従うか否かの判断を得ることができる。また、需要家装置１３において再び需要家４の判断結果を得ることにより、需要家４の最終的な判断を反映した電力消費を実現することができる。そして、需要家４の最終的な判断結果が得られない場合にも、端末装置１６を用いて需要家４が既に行った判断に従うことで、指示情報に基づく処理を開始することができる。
【０２５９】
したがって、本発明の第１の実施の形態に係る需要家装置では、電力需要施設３における電力消費を適切に管理することができる。
【０２６０】
また、本発明の第１の実施の形態に係る需要家装置では、受信部２１は、電力需要施設３における電力消費を管理する電力消費管理装置１２が、電力消費に関する第１指示情報を端末装置１６へ送信し、端末装置１６から第１指示情報に対する第１応答情報を受信し、受信した第１応答情報に基づいて電力消費管理装置１２から送信される、電力消費に関する情報であって電力消費管理装置１２への応答が不要である旨を示す第２指示情報を受信する。制御部２６は、受信部２１によって第２指示情報が受信されたことに応答して、第２指示情報に従って電力需要施設３における負荷１５を制御する。
【０２６１】
このように、電力消費に関する指示情報を、携帯端末装置等、需要家４の利用頻度の高い端末装置１６へ送信する構成により、需要家４の行動を的確に反映した節電の指示または当該指示に従うか否かの判断を得ることができる。また、たとえば、需要家４が端末装置１６を用いて行った当該指示に従う旨の判断に基づく動作を需要家装置１３が自動的に行うことにより、電力需要施設３において当該指示に従った電力消費を確実に行うことができる。
【０２６２】
したがって、本発明の第１の実施の形態に係る需要家装置では、電力需要施設３における電力消費を適切に管理することができる。
【０２６３】
次に、本発明の他の実施の形態について図面を用いて説明する。なお、図中同一または相当部分には同一符号を付してその説明は繰り返さない。
【０２６４】
＜第２の実施の形態＞
本実施の形態は、第１の実施の形態に係る電力消費管理システムと比べて、電力需要施設間で電力消費の削減量を融通し合う電力消費管理システムに関する。以下で説明する内容以外は、第１の実施の形態に係る電力消費管理システムと同様である。
【０２６５】
図１０は、本発明の第２の実施の形態に係る電力消費管理システムの比較例における節電目標と節電期間における節電量とを比較した図である。
【０２６６】
本発明の第２の実施の形態に係る電力消費管理システムの比較例では、需要家装置１３は、節電目標および節電期間を示す指示情報を電力消費管理装置１２から受信して、電力需要施設３を節電イベントに参加させるか否かを判断する。
【０２６７】
節電イベントに参加した電力需要施設３においては、節電期間において節電が行われ、節電目標の示す消費電力量の削減が行われる。一方、節電イベントに参加しなかった電力需要施設３においては、節電期間において節電が行われず、消費電力量の削減が行われない。
【０２６８】
具体的には、図１０を参照して、電力需要施設３Ａにおける節電目標は５００Ｗｈであり、電力需要施設３Ｂにおける節電目標は５００Ｗｈである。
【０２６９】
節電イベントに参加した電力需要施設３Ａにおいては、節電期間において節電が行われ、５００Ｗｈの消費電力が削減される。つまり電力需要施設３Ａにおける節電量は５００Ｗｈとなる。一方、節電イベントに参加しなかった電力需要施設３Ｂにおいては、節電期間において節電が行われないため、節電量はゼロＷｈである。
【０２７０】
電力需要施設３が節電イベントに参加するか否かは、たとえば、当該電力需要施設３において節電目標を達成可能か否かによって判断される。具体的には、たとえば、需要家４は、自己の電力需要施設３において節電目標を達成することができないと判断した場合、電力需要施設３の節電イベントへの不参加を決定する。
【０２７１】
このため、たとえば、設定された節電目標のレベルが達成可能な節電目標のレベルに比べて高い場合、電力需要施設３は節電イベントに参加しない可能性が高い。
【０２７２】
これに対して、本発明の第２の実施の形態に係る電力消費管理システムでは、たとえば、需要家４は、自己の電力需要施設３において節電目標を達成することができないと判断した場合、自己の電力需要施設３において節電期間に削減可能な消費電力量を電力消費管理装置１２へ通知する。
【０２７３】
電力消費管理装置１２は、電力需要施設３において削減可能な消費電力量を確認し、より多くの電力需要施設３が節電イベントに参加できるように、各電力需要施設３に設定した節電目標を修正する。
【０２７４】
図１１は、本発明の第２の実施の形態に係る電力消費管理システムにおける節電目標と節電期間における節電量とを比較した図である。
【０２７５】
図１１を参照して、電力消費管理装置１２は、たとえば節電期間の開始時刻の１時間程度前の時刻において、節電期間および節電目標を示す指示情報を電力需要施設３Ａの需要家４および電力需要施設３Ｂの需要家４に通知する。この時点では、電力需要施設３Ａにおける節電目標は５００Ｗｈであり、電力需要施設３Ｂにおける節電目標は５００Ｗｈである。
【０２７６】
電力需要施設３Ａの需要家４は、５００Ｗｈの節電目標を達成することはできないが、４００Ｗｈの節電目標なら達成することができると判断する。そして、当該需要家４は、電力需要施設３Ａを節電イベントに参加さない旨とともに、削減可能な消費電力量が４００Ｗｈである旨を電力消費管理装置１２へ通知する。
【０２７７】
一方、電力需要施設３Ｂの需要家４は、５００Ｗｈの節電目標を達成することが可能であると判断し、自己の電力需要施設３を節電イベントに参加させる旨を電力消費管理装置１２へ通知する。このとき、需要家４は、さらに、たとえばＧＰＳ情報等、自己の所在を示す情報を電力消費管理装置１２へ通知する。ここでは、当該需要家４は、自己の電力需要施設３から外出しているとする。
【０２７８】
電力消費管理装置１２は、電力需要施設３Ａにおいて削減可能な消費電力量が４００Ｗｈであること、および、需要家４が電力需要施設３から外出していることを確認する。
【０２７９】
そして、電力消費管理装置１２は、電力需要施設３Ａにおける節電目標を、５００Ｗｈから、電力需要施設３Ａにおいて削減可能な消費電力量である４００Ｗｈに修正する。以下、節電目標の修正前後における消費電力量の差分を差分目標電力量とも称する。
【０２８０】
ここで、一般に、需要家４が電力需要施設３から外出している場合における当該電力需要施設３の消費電力は、需要家４が外出していない場合に比べて低くなる。
【０２８１】
このことから、電力消費管理装置１２は、電力需要施設３Ａにおける節電目標を修正したことにより生じた差分目標電力量を、節電イベントに参加可能でありかつ需要家４が外出している電力需要施設３Ｂに割り当てる。
【０２８２】
具体的には、電力消費管理装置１２は、電力需要施設３Ａにおける節電目標を５００Ｗｈから４００Ｗｈへ修正したことにより生じた１００Ｗｈの差分目標電力量を、電力需要施設３Ｂにおける現在の節電目標である５００Ｗｈに上乗せし、電力需要施設３Ｂにおける節電目標を５００Ｗｈから６００Ｗｈへ修正する。
【０２８３】
このような処理により、電力需要施設３Ａおよび電力需要施設３Ｂの両方を節電イベントに参加させることができるようになり、電力需要施設３Ａおよび電力需要施設３Ｂの当初の節電目標の合計値である１０００Ｗｈの節電量を実現することができる。
【０２８４】
図１２は、本発明の第２の実施の形態に係る電力消費管理システムにおけるデマンドレスポンス処理のシーケンスの一例を示す図である。
【０２８５】
図１２を参照して、本発明の第２の実施の形態に係る電力消費管理システムである電力消費管理システム１０２では、ステップＳ８１およびステップＳ８２に示す動作は、図５におけるステップＳ４１およびステップＳ４２に示す動作と同様である。
【０２８６】
次に、電力消費管理システム１０２は、総依頼抑制量を各電力需要施設３に適切に分配するための配分適正化処理を行う（ステップＳ８３〜ステップＳ８８）。
【０２８７】
具体的には、電力消費管理装置１２は、小売事業者装置１１から節電期間と全体節電目標すなわち総依頼抑制量とを示す電力管理情報を受信して、総依頼抑制量を各電力需要施設３に分配し（ステップＳ８３）、節電期間および節電目標を示す第１指示情報を電力需要施設３ごとに作成する。そして、電力消費管理装置１２は、作成した各第１指示情報を対応の端末装置１６へ送信する（ステップＳ８４）。
【０２８８】
なお、電力消費管理装置１２による総依頼抑制量の分配先である電力需要施設３は、電力消費管理装置１２が電力消費を管理する各電力需要施設３の全部であってもよいし、一部であってもよい。
【０２８９】
次に、端末装置１６は、電力消費管理装置１２から受信した第１指示情報の内容を、自己のディスプレイに表示する等により、需要家４に提示する。
【０２９０】
次に、需要家４は、端末装置１６の表示内容を確認し、第１指示情報に従うか否か、すなわち自己の電力需要施設３を節電イベントに参加させるか否かを判断する。そして、需要家４は、端末装置１６を操作することにより、判断結果を端末装置１６に入力する。
【０２９１】
ここで、需要家４は、電力需要施設３を節電イベントに参加させないと判断した場合、判断結果とともに、自己の電力需要施設３において節電期間に削減可能な消費電力量（以下、抑制可能量とも称する。）と、節電期間における需要家４のスケジュール（以下、節電期間予定とも称する。）とを端末装置１６に入力する。
【０２９２】
節電期間予定は、たとえば、電力需要施設３に来客がある、または普段動作させていない機器を動作させる必要がある等、電力需要施設３における現在の節電目標を達成することができない理由を示すものである。
【０２９３】
なお、抑制可能量の大きさは、たとえば、現在の節電目標に対するパーセンテージで表されてもよいし、レベルで表されてもよい。
【０２９４】
次に、端末装置１６は、需要家４による操作を受けて（ステップＳ８５）、電力需要施設３を節電イベントに参加させない旨の判断結果、抑制可能量および節電期間予定を取得すると、電力需要施設３を節電イベントに参加させない旨を示す第１応答情報すなわち第１応答情報Ｎと、需要家４に関する情報である需要家情報とを電力消費管理装置１２へ送信する（ステップＳ８６）。ここでは、需要家情報は、抑制可能量および節電期間予定を示す。
【０２９５】
一方、需要家４が電力需要施設３を節電イベントに参加させる旨の判断結果を端末装置１６に入力した場合、端末装置１６は、電力需要施設３を節電イベントに参加させる旨を示す第１応答情報すなわち第１応答情報Ｙと需要家情報とを電力消費管理装置１２へ送信する（ステップＳ８６）。ここでは、需要家情報は、需要家４の位置すなわち端末装置１６の位置を示す位置情報である。
【０２９６】
具体的には、端末装置１６は、需要家４による操作を受けて、電力需要施設３を節電イベントに参加させる旨の判断結果を取得すると、自己の備えるＧＰＳモジュール等から自己の位置情報を取得する。端末装置１６は、取得した位置情報を需要家情報として電力消費管理装置１２へ送信する。
【０２９７】
なお、端末装置１６は、第１応答情報および需要家情報を電力消費管理装置１２へ同じタイミングで送信してもよいし、それぞれ異なるタイミングで送信してもよい。
【０２９８】
次に、電力消費管理装置１２は、各端末装置１６から第１応答情報を受信して、全体節電目標を達成可能か否かを判断する。そして、電力消費管理装置１２は、全体節電目を達成することができないと判断した場合（ステップＳ８７でＮＯ）、既に設定した各電力需要施設３における節電目標を修正する（ステップＳ８８）。そして、電力消費管理装置１２は、修正後の節電目標を示す新たな第１指示情報を電力需要施設３ごとに作成し、作成した各第１指示情報を対応の端末装置１６へ送信する（ステップＳ８４）。
【０２９９】
ここで、本発明の第２の実施の形態に係る電力消費管理システム１０２における配分適正化処理についてより詳細に説明する。
【０３００】
図１３は、本発明の第２の実施の形態に係る電力消費管理装置による総依頼抑制量の配分適正化処理の手順を定めたフローチャートである。
【０３０１】
図１３を参照して、まず、電力消費管理装置１２は、小売事業者装置１１から電力管理情報を受信すると、各電力需要施設３における消費電力量の実績値情報、各電力需要施設３における消費電力のベースライン情報、気象情報、およびカレンダー情報等に基づいて、総依頼抑制量を各電力需要施設３へ分配する（ステップＳ１２０）。
【０３０２】
そして、電力消費管理装置１２は、各電力需要施設３に分配した総依頼抑制量を分配先の電力需要施設３における節電目標として、各電力需要施設３への第１指示情報を作成し、対応の端末装置１６へ送信する（ステップＳ１２１）。
【０３０３】
次に、電力消費管理装置１２は、各端末装置１６から第１応答情報および需要家情報を受信しながら、各第１指示情報の送信から所定時間が経過するまで待機する（ステップＳ１２２でＮＯ）。
【０３０４】
次に、電力消費管理装置１２は、第１指示情報の送信から所定時間が経過すると（ステップＳ１２２でＹＥＳ）、各端末装置１６から受信した第１応答情報に基づいて、全体節電目標を達成可能か否かを判断する（ステップＳ１２３）。
【０３０５】
ここで、電力消費管理装置１２は、上記所定時間が経過するまでの間に第１応答情報を自己へ送信しなかった端末装置１６を、第１応答情報Ｎを自己へ送信した端末装置１６であるとみなす。
【０３０６】
具体的には、電力消費管理装置１２は、各端末装置１６から受信した第１応答情報のうち、１または複数の第１応答情報Ｙに基づいて、各電力需要施設３における削減予定の電力量の合計値である総削減予定量を算出する。
【０３０７】
電力消費管理装置１２は、算出した総削減予定量が総依頼抑制量に達している場合、全体節電目標を達成可能であると判断する。
【０３０８】
電力消費管理装置１２は、全体節電目標を達成できないと判断した場合（ステップＳ１２３でＮＯ）、各電力需要施設３における節電目標を修正する（ステップＳ１２４）。
【０３０９】
具体的には、たとえば、電力消費管理装置１２は、第１応答情報Ｎおよび需要家情報を自己へ送信した端末装置１６に対応する電力需要施設３については、節電目標を現在の設定値から当該需要家情報の示す抑制可能量に修正する。
【０３１０】
このとき、電力消費管理装置１２は、需要家情報の示す節電期間予定および電力需要施設３の過去の消費電力の実績値に基づいて、修正の内容を調整してもよい。
【０３１１】
また、電力消費管理装置１２は、第１応答情報Ｎを自己へ送信したが、抑制可能量を示す需要家情報を自己へ送信しなかった電力消費管理装置１２を、抑制可能量がゼロであることを示す需要家情報を自己へ送信した電力消費管理装置１２であるとみなす。
【０３１２】
また、電力消費管理装置１２は、当該電力需要施設３における節電目標を抑制可能量に修正したことによって生じた差分目標電力量を、第１指示情報Ｙおよび需要家情報を自己へ送信した各端末装置１６、に対応する電力需要施設３に分配する。
【０３１３】
具体的には、電力消費管理装置１２は、端末装置１６が第１指示情報Ｙとともに送信した需要家情報すなわち位置情報に基づいて、端末装置１６の使用者である需要家４が電力需要施設３から外出しているか否かを判断する。
【０３１４】
電力消費管理装置１２は、需要家４が電力需要施設３から外出していると判断した場合、当該電力需要施設３を差分目標電力量の分配先に決定する。また、電力消費管理装置１２は、たとえば、分配先として決定した電力需要施設３に分配する差分目標電力量の大きさを、当該需要家４が過去に電力需要施設３から外出した際の電力需要施設３の消費電力等に基づいて決定する。
【０３１５】
なお、電力消費管理装置１２は、第１指示情報を未だ送信していない端末装置１６に対応する電力需要施設３を、差分目標電力量の分配先としてもよい。
【０３１６】
差分目標電力量の全部を分配することができれば、総依頼抑制量に総削減予定量が達することになる。
【０３１７】
電力消費管理装置１２は、差分目標電力量の分配先の電力需要施設３における現在の節電目標に、差分目標電力量から分配された量を加えることにより、当該分配先の電力需要施設３における節電目標を修正する。
【０３１８】
電力消費管理装置１２は、修正後の節電目標を示す新たな第１指示情報すなわち修正した第１指示情報を電力需要施設３ごとに作成し、作成した各第１指示情報を対応の端末装置１６へ送信する（ステップＳ１２１）。
【０３１９】
このように、電力消費管理装置１２は、たとえば、総削減予定量が総依頼抑制量に達するまでの間（ステップＳ１２３でＮＯ）、ステップＳ１２１〜ステップＳ１２４に示す動作を繰り返す。
【０３２０】
ただし、電力消費管理装置１２は、総削減予定量が節電期間の到来する所定時間前までに総依頼抑制量に達しない場合、総依頼抑制量の配分適正化処理を終了し、アグリゲータ２の節電イベントへの不参加を決定する。
【０３２１】
一方、電力消費管理装置１２は、たとえば、総削減予定量が総依頼抑制量に達したことにより、全体節電目標を達成可能であると判断した場合（ステップＳ１２３でＹＥＳ）、総依頼抑制量の配分適正化処理を終了する。
【０３２２】
再び図１２を参照して、ステップＳ８９〜ステップＳ９８に示す動作は、図５におけるステップＳ４８〜ステップＳ５７に示す動作と同様である。
【０３２３】
図７は、本発明の第２の実施の形態に係る電力消費管理システムにおける電力消費管理装置の構成も示している。
【０３２４】
図７を参照して、電力消費管理装置１２は、受信部３１と、記憶部３２と、指示作成部（指示情報作成部）３３と、処理部（取得部）３４と、送信部３５とを備える。
【０３２５】
送信部３５は、複数の端末装置１６へ第１指示情報を送信する。記憶部３２は、各電力需要施設３の位置情報を予め記憶している。
【０３２６】
受信部３１は、各端末装置１６から第１応答情報および需要家情報を受信し、受信した第１応答情報および需要家情報を処理部３４へ出力する。
【０３２７】
処理部３４は、端末装置１６から受信部３１経由で需要家情報を取得して、取得した需要家情報を指示作成部３３へ出力する。具体的には、処理部３４は、送信部３５によって各端末装置１６へ第１指示情報が送信された後、各端末装置１６から送信された需要家情報を取得する。
【０３２８】
また、処理部３４は、受信部３１から各第１応答情報を受けて、電力管理情報の示す全体節電目標を達成可能か否かを判断する。具体的には、処理部３４は、受信部３１から受けた各第１応答情報のうち、１または複数の第１応答情報Ｙに基づいて、総削減予定量を算出する。処理部３４は、算出した総削減予定量が総依頼抑制量に達している場合、全体節電目標を達成可能であると判断する。
【０３２９】
処理部３４は、電力管理情報の示す全体節電目標を達成できないと判断した場合、全体節電目標を達成できない旨の通知を指示作成部３３へ出力する。
【０３３０】
指示作成部３３は、処理部３４によって取得された需要家情報に基づいて、第１指示情報を作成する。
【０３３１】
具体的には、指示作成部３３は、処理部３４から全体節電目標を達成できない旨の通知を受けると、処理部３４によって取得された需要家情報に基づいて、各電力需要施設３における現在の節電目標を修正することにより、各端末装置１６への第１指示情報を修正する。
【０３３２】
より具体的には、指示作成部３３は、第１応答情報Ｎおよび需要家情報を自己へ送信した端末装置１６、に対応する電力需要施設３の節電目標を、現在の設定値からたとえば当該需要家情報の示す抑制可能量に修正する。
【０３３３】
また、指示作成部３３は、端末装置１６へ送信すべき第１指示情報を、他の端末装置１６から取得された需要家情報に基づいて修正する。具体的には、指示作成部３３は、第１応答情報Ｙおよび需要家情報を自己へ送信した端末装置１６、に対応する電力需要施設３における節電目標を、他の端末装置１６の節電目標を修正したことによって生じた差分目標電力量に基づいて修正する。
【０３３４】
より具体的には、指示作成部３３は、第１応答情報Ｙとともに送信された各需要家情報すなわち各端末装置１６の位置情報と、記憶部３２において記憶されている各電力需要施設３の位置情報とに基づいて、需要家４が電力需要施設３から外出中であるか否かを判断する。具体的には、指示作成部３３は、端末装置１６の位置が電力需要施設３の外である場合、電力需要施設３から需要家４が外出中であると判断する。
【０３３５】
指示作成部３３は、需要家４が外出中であると判断した電力需要施設３に差分目標電力量を分配して電力需要施設３の節電目標を修正することにより、第１指示情報を修正する。
【０３３６】
指示作成部３３は、修正後の各第１指示情報を送信部３５へ出力する。送信部３５は、指示作成部３３から受けた修正後の各第１指示情報を対応の端末装置１６へ送信する。
【０３３７】
図１４は、本発明の第２の実施の形態に係る電力消費管理システムにおける端末装置の構成を示す図である。
【０３３８】
図１４を参照して、端末装置１６は、受信部５１と、送信部５２と、処理部５３と、操作部５４と、表示部５５と、位置取得部５６とを備える。
【０３３９】
位置取得部５６は、たとえば、ＧＰＳモジュール等を含み、端末装置１６の位置を示す位置情報を出力することができる。
【０３４０】
受信部５１は、電力消費管理装置１２から第１指示情報を受信し、受信した第１指示情報を処理部５３へ出力する。
【０３４１】
処理部５３は、受信部５１から受けた第１指示情報の内容をたとえばディスプレイである表示部５５に表示する。
【０３４２】
需要家４は、表示部５５に表示された第１指示情報の内容つまり自己の電力需要施設３における節電目標および節電期間を確認し、電力需要施設３を節電イベントに参加させるか否かを判断する。
【０３４３】
需要家４は、電力需要施設３を節電イベントに参加させないと判断した場合、操作部５４を操作することにより、判断結果とともに抑制可能量および節電期間予定を端末装置１６に入力する。
【０３４４】
操作部５４は、需要家４の操作により取得した、電力需要施設３を節電イベントに参加させない旨の判断結果、抑制可能量および節電期間予定を処理部５３へ通知する。
【０３４５】
処理部５３は、操作部５４からの通知を受けて、電力需要施設３を節電イベントに参加させない旨を示す第１応答情報すなわち第１応答情報Ｎと、抑制可能量および節電期間予定を示す需要家情報とを作成して送信部５２へ出力する。
【０３４６】
送信部５２は、処理部５３から受けた第１応答情報Ｎおよび需要家情報を電力消費管理装置１２へ送信する。
【０３４７】
一方、需要家４は、電力需要施設３を節電イベントに参加させると判断した場合、操作部５４を操作することにより、判断結果を端末装置１６に入力する。
【０３４８】
操作部５４は、需要家４の操作により取得した、電力需要施設３を節電イベントに参加させる旨の判断結果を処理部５３へ通知する。
【０３４９】
処理部５３は、操作部５４からの通知を受けると、電力需要施設３を節電イベントに参加させる旨を示す第１応答情報すなわち第１応答情報Ｙを作成する。そして、処理部５３は、端末装置１６の位置情報すなわち需要家４の位置情報を位置取得部５６から需要家情報として取得し、作成した第１応答情報Ｙおよび取得した需要家情報を送信部５２へ出力する。
【０３５０】
送信部５２は、処理部５３から受けた第１応答情報Ｙおよび需要家情報を電力消費管理装置１２へ送信する。
【０３５１】
なお、本発明の第２の実施の形態に係る電力消費管理システム１０２では、電力消費管理装置１２は、自己へ第１応答情報Ｎを送信した端末装置１６に対応する電力需要施設３の節電目標の修正を行った後、修正内容に基づいて、すなわち差分目標電力量に基づいて、自己へ第１応答情報Ｙを送信した端末装置１６に対応する電力需要施設３の節電目標を修正する構成であるとしたが、これに限定するものではない。
【０３５２】
たとえば、電力消費管理装置１２は、自己へ第１応答情報Ｙを送信した端末装置１６に対応する電力需要施設３の節電目標の修正を行った後、修正内容に基づいて、自己へ第１応答情報Ｎを送信した端末装置１６に対応する電力需要施設３の節電目標を修正する構成であってもよい。
【０３５３】
また、本発明の第２の実施の形態に係る電力消費管理システム１０２では、電力消費管理装置１２へ第１応答情報Ｙを送信する端末装置１６は、第１応答情報Ｙとともに需要家情報として位置情報を送信する構成であるとしたが、これに限定するものではない。たとえば、当該端末装置１６は、第１応答情報Ｙとともに、抑制可能量を示す需要家情報を送信する構成であってもよい。
【０３５４】
たとえば、需要家４は、端末装置１６が第１指示情報を受信した後、当該第１指示情報の内容を確認して、電力需要施設３を節電イベントに参加させると判断し、判断結果を端末装置１６に入力する。このとき、需要家４は、電力需要施設３を節電イベントに参加させる旨の判断結果とともに、抑制可能量を端末装置１６に入力する。ここで、需要家４が入力する抑制可能量は、当該電力需要施設３における現在の節電目標よりも大きい電力量である。
【０３５５】
端末装置１６における処理部５３は、需要家４による操作に基づいて、第１応答情報Ｙと、抑制可能量を示す需要家情報とを作成し、作成した送信部５２へ出力する。送信部５２は、処理部５３から受けた第１応答情報Ｙおよび需要家情報を電力消費管理装置１２へ送信する。
【０３５６】
電力消費管理装置１２は、第１応答情報Ｎを自己へ送信した端末装置１６に対応する電力需要施設３については、当該第１応答情報Ｎとともに送信された需要家情報の示す抑制可能量に基づいて、節電目標である消費電力量を小さくする修正を行う。また、電力消費管理装置１２は、第１応答情報Ｙを自己へ送信した端末装置１６に対応する電力需要施設３については、当該第１応答情報Ｙとともに送信された需要家情報の示す抑制可能量に基づいて、節電目標である消費電力量を大きくする修正を行う。
【０３５７】
また、本発明の第２の実施の形態に係る電力消費管理システム１０２では、１つの電力需要施設３に対応する複数の端末装置１６が用いられてもよい。これら複数の端末装置１６は、電力需要施設３における複数のユーザすなわち複数の需要家４によってそれぞれ使用される。
【０３５８】
この場合、電力消費管理装置１２は、全部の需要家４が電力需要施設３から外出していると判断したときに、当該電力需要施設３を差分目標電力量の分配先に決定してもよいし、一部の需要家４が電力需要施設３から外出していると判断したときに当該電力需要施設３を差分目標電力量の分配先に決定してもよい。
【０３５９】
以上のように、本発明の第２の実施の形態に係る電力消費管理装置では、処理部（取得部）３４は、端末装置１６から対応する電力需要施設３の需要家４に関する需要家情報を取得する。指示作成部（指示情報作成部）３３は、処理部３４によって取得された需要家情報に基づいて、第１指示情報を作成する。
【０３６０】
このような構成により、需要家４の情報を反映して当該需要家４に対する指示の内容を決めることができるため、たとえば、需要家４に許容される可能性の高い指示情報を作成することができる。
【０３６１】
また、本発明の第２の実施の形態に係る電力消費管理装置では、処理部３４は、第１指示情報が送信部３５によって端末装置１６へ送信された後、需要家情報を取得する。指示作成部３３は、処理部３４によって取得された需要家情報に基づいて第１指示情報を修正する。送信部３５は、指示作成部３３によって修正された第１指示情報を端末装置１６へ送信する。
【０３６２】
このように、端末装置１６へ既に送信した指示情報の内容を需要家情報に基づいて修正し、修正後の指示情報を再び端末装置１６へ送信する構成により、たとえば、指示に従わないと一旦判断した需要家４に許容される可能性の高い指示情報を改めて送信することができる。
【０３６３】
また、本発明の第２の実施の形態に係る電力消費管理装置では、送信部３５は、複数の電力需要施設３にそれぞれ対応する複数の端末装置１６へ第１指示情報を送信する。処理部３４は、複数の端末装置１６から需要家情報を取得する。指示作成部３３は、端末装置１６へ送信すべき第１指示情報を、他の端末装置１６から取得された需要家情報に基づいて修正する。
【０３６４】
このような構成により、たとえば、電力需要施設３間で電力消費の抑制量を調整することができるため、複数の電力需要施設３の電力消費に関する全体的な目標を柔軟に達成することができる。
【０３６５】
また、本発明の第２の実施の形態に係る電力消費管理装置では、需要家情報は、需要家４のスケジュール、電力消費の抑制可能量および需要家４の位置のうちの少なくともいずれか１つに関する情報である。
【０３６６】
このような構成により、たとえば、電力需要施設３における消費電力を推測することができるため、需要家４に許容される可能性の高い指示情報をより確実に作成することができる。
【０３６７】
その他の構成および動作は第１の実施の形態に係る電力消費管理システムと同様であるため、ここでは詳細な説明を繰り返さない。
【０３６８】
次に、本発明の他の実施の形態について図面を用いて説明する。なお、図中同一または相当部分には同一符号を付してその説明は繰り返さない。
【０３６９】
＜第３の実施の形態＞
本実施の形態は、第２の実施の形態に係る電力消費管理システムと比べて、需要者の予定を予め電力消費管理装置へ通知する電力消費管理システムに関する。以下で説明する内容以外は、第２の実施の形態に係る電力消費管理システムと同様である。
【０３７０】
図１５は、本発明の第３の実施の形態に係る電力消費管理システムにおけるデマンドレスポンス処理のシーケンスの一例を示す図である。
【０３７１】
図１５を参照して、本発明の第３の実施の形態に係る電力消費管理システム１０３では、まず、各需要家４は、自己の端末装置１６を操作することにより、自己のスケジュール（以下、需要家予定とも称する）を定期的または不定期に端末装置１６に入力する。
【０３７２】
端末装置１６は、需要家４による操作を受けて、需要家予定を取得すると（ステップＳ１７９）、需要家４に関する情報である需要家情報を電力消費管理装置１２へ送信する（ステップＳ１８０）。ここでは、需要家情報は需要家予定を示す。
【０３７３】
電力消費管理装置１２は、各端末装置１６から需要家情報を受信して、各需要家情報の示す需要家予定を記憶する。
【０３７４】
ステップＳ１８１およびステップＳ１８２に示す動作は、図５におけるステップＳ４１およびステップＳ４２に示す動作と同様である。
【０３７５】
次に、電力消費管理システム１０３は、総依頼抑制量を各電力需要施設３に適切に分配するための配分適正化処理を行う（ステップＳ１８３〜ステップＳ１８８）。
【０３７６】
具体的には、電力消費管理装置１２は、予め取得した需要家予定に基づいて、総依頼抑制量を各電力需要施設３に分配する。
【０３７７】
より具体的には、電力消費管理装置１２は、最初に総依頼抑制量を分配する際、各電力需要施設３における消費電力量の実績値情報、各電力需要施設３における消費電力のベースライン情報、気象情報、およびカレンダー情報に加え、さらに各需要家予定に基づいて、総依頼抑制量を各電力需要施設３へ分配する（ステップＳ１８３）。
【０３７８】
たとえば、電力消費管理装置１２は、需要家４の複数種類の行動と、需要家４が過去に各種類の行動をとった際の電力需要施設３における消費電力との対応関係を示す情報（以下、行動消費関係情報とも称する）を予め記憶している。電力消費管理装置１２は、たとえば電力需要施設３ごとの行動消費関係情報を記憶している。ここで、需要家４の行動とは、たとえば、「電力需要施設３から外出する」または「電力需要施設３において来客がある」等である。
【０３７９】
たとえば、行動消費関係情報は、需要家４の行動の種類と、電力需要施設３における消費電力との対応関係を示すテーブルである。
【０３８０】
電力消費管理装置１２は、最初に総依頼抑制量を分配する際、行動消費関係情報を参照して、需要家予定に対応する消費電力を、対応の電力需要施設３における節電期間の推定消費電力として取得する。
【０３８１】
そして、たとえば、電力消費管理装置１２は、各電力需要施設３における消費電力量の実績値情報、各電力需要施設３における消費電力のベースライン情報、気象情報、およびカレンダー情報等に基づいて、各電力需要施設３における節電期間の推定消費電力を補正する。
【０３８２】
電力消費管理装置１２は、各電力需要施設３における補正後の推定消費電力に応じて総依頼抑制量を分配し、節電期間および節電目標を示す第１指示情報を電力需要施設３ごとに作成する。そして、電力消費管理装置１２は、作成した各第１指示情報を対応の端末装置１６へ送信する（ステップＳ１８４）。
【０３８３】
配分適正化処理における他の動作、すなわちステップＳ１８５〜ステップＳ１８８に示す動作は、図１２におけるステップＳ１８５〜ステップＳ１８８に示す動作と同様である。
【０３８４】
また、ステップＳ１８９〜ステップＳ１９８に示す動作は、図１２におけるＳ８９〜ステップＳ９８に示す動作と同様である。
【０３８５】
図１６は、本発明の第３の実施の形態に係る電力消費管理システムにおける電力消費管理装置の構成を示す図である。
【０３８６】
図１６を参照して、電力消費管理装置１２は、受信部３１と、記憶部３２と、指示作成部（指示情報作成部）３３と、処理部（取得部）３４と、送信部３５とを備える。
【０３８７】
記憶部３２は、各電力需要施設３における消費電力量の実績値情報、各電力需要施設３における消費電力のベースライン情報、気象情報、カレンダー情報および行動消費関係情報等を予め記憶している。
【０３８８】
処理部３４は、通常時すなわち送信部３５によって第１指示情報が電力消費管理装置１２へ送信される前の状態において、各端末装置１６から送信された需要家予定を示す需要家情報を取得し、取得した需要家情報を記憶部３２に保存する。
【０３８９】
具体的には、受信部３１は、通常時において各端末装置１６から送信された需要家情報を受信して、受信した需要家情報を処理部３４へ出力する。処理部３４は、受信部３１から受けた需要家情報を記憶部３２に保存する。
【０３９０】
処理部３４は、端末装置１６から送信された需要家予定を示す需要家情報を取得した後、当該端末装置１６から送信された新たな需要家予定を示す需要家情報を取得した場合、記憶部３２に保存している需要家情報を新たな需要家情報に更新する。
【０３９１】
受信部３１は、小売事業者装置１１から送信された電力管理情報を受信して、指示作成部３３へ出力する。
【０３９２】
指示作成部３３は、受信部３１から電力管理情報を受けると、処理部３４によって取得された需要家情報に基づいて、第１指示情報を作成する。
【０３９３】
具体的には、指示作成部３３は、受信部３１から電力管理情報を受けると、記憶部３２から各電力需要施設３における需要家予定を示す需要家情報と、行動消費関係情報とを取得する。
【０３９４】
指示作成部３３は、行動消費関係情報を参照して、需要家予定に対応する消費電力量を節電期間における電力需要施設３の推定消費電力として取得する。
【０３９５】
そして、指示作成部３３は、各電力需要施設３における消費電力量の実績値情報、各電力需要施設３における消費電力のベースライン情報、気象情報、およびカレンダー情報等を記憶部３２から取得し、取得した情報に基づいて推定消費電力を補正する。
【０３９６】
指示作成部３３は、各電力需要施設３の、補正後の推定消費電力に応じて、各電力需要施設３に総依頼抑制量を分配し、節電期間および節電目標を示す第１指示情報を電力需要施設３ごとに作成する。そして、指示作成部３３は、作成した各第１指示情報を送信部３５へ出力する。
【０３９７】
送信部３５は、指示作成部３３から受けた各第１指示情報を対応の端末装置１６へ送信する。
【０３９８】
図１４は、本発明の第３の実施の形態に係る電力消費管理システムにおける端末装置の構成も示している。
【０３９９】
図１４を参照して、需要家４は、通常時すなわち第１指示情報が受信部５１によって受信される前の状態において、操作部５４を操作することにより、需要家予定を端末装置１６に入力する。
【０４００】
操作部５４は、需要家４による操作により取得した需要家予定を処理部５３に通知する。処理部５３は、操作部５４からの通知を受けて、需要家予定を示す需要家情報を作成し、作成した需要家情報を送信部５２へ出力する。送信部５２は、処理部５３から受けた需要家情報を電力消費管理装置１２へ送信する。
【０４０１】
なお、本発明の第３の実施の形態に係る電力消費管理システム１０３では、電力消費管理装置１２は、通常時において、需要家予定を端末装置１６に入力するように需要家４に依頼するための情報を、定期的または不定期に各端末装置１６へ送信してもよい。
【０４０２】
また、本発明の第３の実施の形態に係る電力消費管理システム１０３では、電力消費管理装置１２は、行動消費関係情報を自ら作成しもよい。
【０４０３】
具体的には、たとえば、電力消費管理装置１２は、端末装置１６から取得した複数の需要家情報の示す需要家予定と、自己の記憶している実績値情報とに基づいて、需要家４の行動と、電力需要施設３における消費電力との関係をテーブル化することにより、行動消費関係情報を作成する。
【０４０４】
以上のように、本発明の第３の実施の形態に係る電力消費管理装置では、処理部（取得部）３４は、第１指示情報が送信部３５によって端末装置１６へ送信される前に需要家情報を取得する。指示作成部（指示情報作成部）３３は、処理部３４によって取得された需要家情報に基づいて第１指示情報を作成する。
【０４０５】
このような構成により、端末装置１６へ最初に送信する指示情報の内容を、予め取得した需要家情報に基づいて決めることができるため、需要家４に許容される可能性の高い指示情報をより確実に作成することができる。
【０４０６】
また、本発明の第３の実施の形態に係る電力消費管理システムでは、需要家情報は、需要家４のスケジュールに関する情報である。
【０４０７】
このような構成により、たとえば、需要家４施設における消費電力を推測することができるため、需要家４に許容される可能性の高い指示情報をより確実に作成することができる。
【０４０８】
その他の構成および動作は第２の実施の形態に係る電力消費管理システムと同様であるため、ここでは詳細な説明を繰り返さない。
【０４０９】
次に、本発明の他の実施の形態について図面を用いて説明する。なお、図中同一または相当部分には同一符号を付してその説明は繰り返さない。
【０４１０】
＜第４の実施の形態＞
本実施の形態は、第１の実施の形態に係る電力消費管理システムと比べて、需要家装置および端末装置が通信を行う電力消費管理システムに関する。以下で説明する内容以外は、第１の実施の形態に係る電力消費管理システムと同様である。
【０４１１】
図１７は、本発明の第４の実施の形態に係る電力消費管理システムの構成を示す図である。
【０４１２】
図１７を参照して、電力消費管理システム１０４は、小売事業者装置１１と、電力消費管理装置１２と、複数の需要家装置１３と、複数の負荷１５と、複数の端末装置１６とを備える。
【０４１３】
電力消費管理システム１０４は、第１の実施の形態に係る電力消費管理システム１０１と比べて、需要家装置１３が端末装置１６と通信を行う構成である。具体的には、需要家装置１３は、たとえば無線ＬＡＮまたは携帯電話網経由で端末装置１６と通信を行う。
【０４１４】
需要家装置１３は、電力消費管理装置１２から第２指示情報を受信すると、端末装置１６から端末装置１６の位置を示す位置情報（存在情報）を取得する。需要家装置１３は、端末装置１６の位置情報に基づいて、需要家４が電力需要施設３から外出しているか否か、すなわち需要家４が電力需要施設３に存在しているか否かを判断する。
【０４１５】
需要家装置１３は、電力消費管理装置１２から第２指示情報を受信して、需要家４が電力需要施設３から外出していると判断した場合、節電イベントに参加する旨を示す第２応答情報すなわち第２応答情報Ｙを電力消費管理装置１２へ送信する。
【０４１６】
図１８は、本発明の第４の実施の形態に係る電力消費管理システムにおけるデマンドレスポンス処理のシーケンスの一例を示す図である。
【０４１７】
図１８を参照して、ステップＳ２４１〜ステップＳ２４８に示す動作は、図５におけるステップＳ４１〜ステップＳ４８に示す動作と同様である。
【０４１８】
次に、需要家装置１３は、電力消費管理装置１２から第２指示情報を受信すると、位置情報を要求するための位置情報要求を端末装置１６へ送信する（ステップＳ２４９）。
【０４１９】
次に、端末装置１６は、需要家装置１３から位置情報要求を受信して、自己の位置情報を需要家装置１３へ送信する（ステップＳ２５０）。
【０４２０】
次に、需要家装置１３は、端末装置１６から位置情報を受信して、受信した端末装置１６の位置情報と、予め記憶している自己の電力需要施設３の位置情報とに基づいて、電力需要施設３に需要家４が存在しているか否かを判断する（ステップＳ２５１）。
【０４２１】
具体的には、需要家装置１３は、端末装置１６の位置が電力需要施設３の外にある場合、需要家４が電力需要施設３から外出している、すなわち電力需要施設３に需要家４が存在していないと判断する。
【０４２２】
次に、需要家装置１３は、電力需要施設３に需要家４が存在していないと判断した場合、電力需要施設３を節電イベントに参加させる旨を示す第２応答情報すなわち第２応答情報Ｙを電力消費管理装置１２へ送信する（ステップＳ２５２）。
【０４２３】
ステップＳ２５３〜ステップＳ２６０に示す動作は、図５におけるステップＳ５０〜ステップＳ５７に示す動作と同様である。
【０４２４】
図１９は、本発明の第４の実施の形態に係る電力消費管理システムにおける需要家装置の構成を示す図である。
【０４２５】
図１９を参照して、需要家装置１３は、記憶部２０と、受信部２１と、送信部２２と、検知部２３と、処理部（取得部）２４と、操作部２５と、制御部２６と、表示部２７と、測定部２８とを備える。
【０４２６】
記憶部２０は、自己の需要家装置１３が用いられる電力需要施設３の位置情報を予め記憶している。
【０４２７】
受信部２１は、電力消費管理装置１２から第２指示情報を受信して、受信した第２指示情報を処理部２４へ出力する。
【０４２８】
処理部２４は、受信部２１から第２指示情報から受けると、端末装置１６に位置情報を要求するための位置情報要求を作成し、送信部２２へ出力する。送信部２２は、処理部２４から受けた位置情報要求を端末装置１６へ送信する。
【０４２９】
また、受信部２１は、端末装置１６から送信された電力需要施設３における人の存在に関する位置情報を受信して、受信した位置情報を処理部２４へ出力する。
【０４３０】
処理部２４は、受信部２１から出力された端末装置１６の位置情報を取得すると、記憶部２０から自己の電力需要施設３の位置情報を取得する。そして、処理部２４は、端末装置１６の位置情報および電力需要施設３の位置情報に基づいて、需要家４が電力需要施設３から外出中か否か、すなわち電力需要施設３に人が存在しているか否かを判断する。
【０４３１】
具体的には、処理部２４は、端末装置１６の位置が電力需要施設３の外にある場合、電力需要施設３に需要家４が存在していないと判断する。
【０４３２】
処理部２４は、電力需要施設３に需要家４が存在していないと判断した場合、第２応答情報Ｙを作成して送信部２２へ出力する。
【０４３３】
送信部２２は、処理部２４によって取得された端末装置１６の位置情報に基づいて、第２応答情報Ｙを電力消費管理装置１２へ送信する。
【０４３４】
具体的には、送信部２２は、処理部２４が端末装置１６の位置情報に基づいて作成した第２応答情報Ｙを電力消費管理装置１２へ送信する。
【０４３５】
一方、処理部２４は、電力需要施設３に需要家４が存在していると判断した場合、第２応答情報Ｎを作成して送信部２２へ出力する。送信部２２は、処理部２４から受けた第２応答情報Ｎを電力消費管理装置１２へ送信する。
【０４３６】
図２０は、本発明の第４の実施の形態に係る電力消費管理システムにおける端末装置の構成を示す図である。
【０４３７】
図２０を参照して、端末装置１６は、受信部５１と、送信部５２と、処理部５３と、操作部５４と、表示部５５と、位置取得部５６とを備える。
【０４３８】
受信部５１は、需要家装置１３から位置情報要求を受信して処理部５３へ出力する。処理部５３は、受信部５１から位置情報要求を受けて、位置取得部５６から端末装置１６の位置情報を取得する。処理部５３は、取得した端末装置１６の位置情報を送信部５２へ出力する。
【０４３９】
送信部５２は、処理部５３から受けた端末装置１６の位置情報を需要家装置１３へ送信する。
【０４４０】
以上のように、本発明の第４の実施の形態に係る需要家装置では、受信部２１は、電力需要施設３における電力消費を管理する電力消費管理装置１２が、電力消費に関する第１指示情報を端末装置１６へ送信し、端末装置１６から第１指示情報に対する第１応答情報を受信し、受信した第１応答情報に基づいて電力消費管理装置１２から送信される、電力消費に関する第２指示情報を受信する。処理部（取得部）２４は、電力需要施設３における人の存在に関する存在情報を取得する。送信部２２は、処理部２４によって取得された存在情報に基づいて、第２指示情報に従う旨の第２応答情報を電力消費管理装置１２へ送信する。
【０４４１】
このように、電力消費に関する指示情報を、携帯端末装置等、需要家４の利用頻度の高い端末装置１６へ送信する構成により、需要家４の行動を的確に反映した節電の指示または当該指示に従うか否かの判断を得ることができる。また、需要家装置１３では、たとえば、電力需要施設３に需要家４が存在するときは当該需要家４の判断を得ながら、需要家４が不在のときは当該指示に従う旨を自動的に電力消費管理装置１２に通知することができる。
【０４４２】
したがって、本発明の第４の実施の形態に係る需要家装置では、電力需要施設３における電力消費を適切に管理することができる。
【０４４３】
その他の構成および動作は第１の実施の形態に係る電力消費管理システムと同様であるため、ここでは詳細な説明を繰り返さない。
【０４４４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０４４５】
以上の説明は、以下に付記する特徴を含む。
【０４４６】
［付記１］
電力需要施設における電力消費を管理する電力消費管理装置が、前記電力消費に関する第１の指示情報を端末装置へ送信し、前記端末装置から前記第１の指示情報に対する第１の応答情報を受信し、受信した前記第１の応答情報に基づいて前記電力消費管理装置から送信される、前記電力消費に関する第２の指示情報を受信する受信部と、
前記受信部によって前記第２の指示情報が受信されたことに応答して、前記第２の指示情報に従う旨の第２の応答情報を前記電力消費管理装置へ送信する送信部とを備え、
前記第１の指示情報および前記第２の指示情報は、前記電力需要施設において削減すべき消費電力に関する情報を含み、
前記端末装置は、前記電力消費管理装置から前記第１の指示情報を受信した後、受信した前記第１の指示情報に対する応答内容の入力を受けて、前記応答内容を示す前記第１の応答情報を前記電力消費管理装置へ送信し、
ＢＥＭＳまたはＨＥＭＳに用いられる、需要家装置。
【０４４７】
［付記２］
電力需要施設における電力消費を管理する電力消費管理装置であって、
前記電力消費に関する第１の指示情報を端末装置へ送信する送信部と、
前記端末装置から前記第１の指示情報に対する第１の応答情報を受信する受信部とを備え、
前記送信部は、前記受信部によって受信された前記第１の応答情報に基づいて、前記電力消費に関する第２の指示情報を、前記電力需要施設において用いられる需要家装置へ送信し、
前記第１の指示情報および前記第２の指示情報は、前記電力需要施設において削減すべき消費電力に関する情報を含み、
前記端末装置は、前記送信部によって送信された前記第１の指示情報を受信した後、受信した前記第１の指示情報に対する応答内容の入力を受けて、前記応答内容を示す前記第１の応答情報を前記電力消費管理装置へ送信し、
ＢＥＭＳまたはＨＥＭＳに用いられる、電力消費管理装置。
【０４４８】
［付記３］
電力需要施設における電力消費を管理する電力消費管理装置と、
前記電力需要施設において用いられる需要家装置と、
端末装置とを備え、
前記電力消費管理装置は、前記電力消費に関する第１の指示情報を前記端末装置へ送信し、
前記端末装置は、前記電力消費管理装置から前記第１の指示情報を受信して、受信した前記第１の指示情報に対する第１の応答情報を前記電力消費管理装置へ送信し、
前記電力消費管理装置は、前記端末装置から前記第１の応答情報を受信して、受信した前記第１の応答情報に基づいて、前記電力消費に関する第２の指示情報を前記需要家装置へ送信し、
前記第１の指示情報および前記第２の指示情報は、前記電力需要施設において削減すべき消費電力に関する情報を含み、
前記端末装置は、前記電力消費管理装置から前記第１の指示情報を受信した後、受信した前記第１の指示情報に対する応答内容の入力を受けて、前記応答内容を示す前記第１の応答情報を前記電力消費管理装置へ送信し、
ＢＥＭＳまたはＨＥＭＳに用いられる、電力消費管理システム。
【符号の説明】
【０４４９】
１  電力小売事業者
２  アグリゲータ
３，３Ａ，３Ｂ  電力需要施設
４  需要家
１１  小売事業者装置
１２  電力消費管理装置
１３  需要家装置
１５  負荷
１６  端末装置
２０，３２  記憶部
２１，３１，５１  受信部
２２，３５，５２  送信部
２３  検知部
２４，３４  処理部（取得部）
５３  処理部
２５，５４  操作部
２６  制御部
２７，５５  表示部
２８  測定部
３３  指示作成部
５６  位置取得部（位置情報取得部）
【図１】
0006414456.tif 000002
【図２】
0006414456.tif 000003
【図３】
0006414456.tif 000004
【図４】
0006414456.tif 000005
【図５】
0006414456.tif 000006
【図６】
0006414456.tif 000007
【図７】
0006414456.tif 000008
【図８】
0006414456.tif 000009
【図９】
0006414456.tif 000010
【図１０】
0006414456.tif 000011
【図１１】
0006414456.tif 000012
【図１２】
0006414456.tif 000013
【図１３】
0006414456.tif 000014
【図１４】
0006414456.tif 000015
【図１５】
0006414456.tif 000016
【図１６】
0006414456.tif 000017
【図１７】
0006414456.tif 000018
【図１８】
0006414456.tif 000019
【図１９】
0006414456.tif 000020
【図２０】
0006414456.tif 000021